(57)【要約】  本発明の実施形態は電力制御方法および装置を提供する。この方法は、サウンディング基準信号SRSのための電力制御パラメータを取得するステップであって、SRSのための電力制御パラメータは、SRSのためのターゲット電力パラメータ値、パスロス補償係数、およびSRSのための閉ループ電力制御パラメータ値のうちの少なくとも１つを含む、ステップと、SRSのための電力制御パラメータに基づいて第１のキャリアにおけるSRSのための伝送電力を決定するステップと、を含む。このようにして、SRSは切り替え先のキャリアにおいて最適な伝送電力で伝送され、SRSが正しく受信されることを保証する。
2019521575.tif 000002
【特許請求の範囲】
【請求項１】
電力制御方法であって、
サウンディング基準信号SRSのための電力制御パラメータを取得するステップであって、前記SRSのための前記電力制御パラメータは、前記SRSのためのターゲット電力パラメータ値、パスロス補償係数、および前記SRSのための閉ループ電力制御パラメータ値のうちの少なくとも１つを含む、ステップと、
前記SRSのための前記電力制御パラメータに基づいて第１のキャリアにおける前記SRSのための伝送電力を決定するステップと、
を含む電力制御方法。
【請求項２】
前記第１のキャリアは物理アップリンク共有チャネルPUSCHが送信されないキャリアである、請求項１に記載の方法。
【請求項３】
サウンディング基準信号SRSのための電力制御パラメータを前記取得するステップは、
基地局によって送信される電力制御シグナリングまたはクロスキャリア電力制御シグナリングを受信するステップを含む、請求項１または２に記載の方法。
【請求項４】
前記電力制御シグナリングは、開ループ電力制御シグナリングおよび／または閉ループ電力制御シグナリングを含む、請求項３に記載の方法。
【請求項５】
サウンディング基準信号SRSのための電力制御パラメータを前記取得するステップは、
前記電力制御シグナリングまたは前記クロスキャリア電力制御シグナリングから前記SRSのための前記電力制御パラメータを取得するステップを含む、請求項３または４に記載の方法。
【請求項６】
前記電力制御シグナリングまたは前記クロスキャリア電力制御シグナリングは、無線リソース制御RRCシグナリングまたは物理レイヤ・シグナリングを含む、請求項３から５のいずれか一項に記載の方法。
【請求項７】
前記SRSのための前記ターゲット電力パラメータ値は、プリアンブル初期受信ターゲット電力値に基づいて取得されたパラメータ値であるか、または
前記SRSのための前記ターゲット電力パラメータ値は、前記プリアンブル初期受信ターゲット電力値および電力調整値に基づいて取得されたパラメータ値である、請求項１から６のいずれか一項に記載の方法。
【請求項８】
前記電力制御シグナリングまたは前記クロスキャリア電力制御シグナリングから前記電力制御パラメータを前記取得するステップは、
第１の無線ネットワーク一時識別子RNTIに基づいて前記電力制御シグナリングまたは前記クロスキャリア電力制御シグナリングから前記SRSのための前記電力制御パラメータを解析して取り出すステップを含む、請求項５から７のいずれか一項に記載の方法。
【請求項９】
前記SRSのための前記電力制御パラメータに基づいて前記SRSのための伝送電力を前記決定するステップは、
ユーザ機器UEの最大伝送電力、前記SRSのための伝送電力調整値、前記SRSのための伝送帯域幅、前記SRSのための前記ターゲット電力パラメータ値、前記パスロス補償係数、および推定されたダウンリンク・パスロス値のうちの少なくとも１つに基づいて前記SRSのための前記伝送電力を取得するステップを含む、請求項１から８のいずれか一項に記載の方法。
【請求項１０】
前記SRSのための前記電力制御パラメータに基づいて前記SRSのための伝送電力を前記決定するステップは、
式PSRS,c1(i)=min{PCMAX,c1(i), PSRS_OFFSET,c1(m)+10log10(MSRS,c1)+PO_SRS,c1(j)+αSRS,c1(j)・PLSRS,c1}に従って前記SRSのための前記伝送電力PSRS,c1(i)を計算するステップであって、PCMAX,c1(i)はi番目のサブフレームにおける前記ユーザ機器UEの最大伝送電力であり、PSRS_OFFSET,c1(m)は前記SRSのための前記伝送電力調整値であり、ここでmは0または1に等しく、MSRS,c1は前記SRSのための前記伝送帯域幅であり、PO_SRS,c1(j)は前記SRSのための前記ターゲット電力パラメータ値であり、ここでjは0、1、または2に等しく、αSRS,c1(j)は前記パスロス補償係数であり、PLSRS,c1は前記推定されたダウンリンク・パスロス値である、ステップを含む、請求項９に記載の方法。
【請求項１１】
前記SRSのための前記電力制御パラメータに基づいて前記SRSのための伝送電力を前記決定するステップの前に、前記方法は、
前記SRSが周期的に構成されるか、または非周期的に構成されるかを決定するステップをさらに含む、請求項１に記載の方法。
【請求項１２】
前記SRSのための前記電力制御パラメータが前記SRSのための前記閉ループ電力制御パラメータ値を含むならば、前記SRSのための前記閉ループ電力制御パラメータ値は、絶対値または相対的な調整値である、請求項１または１１に記載の方法。
【請求項１３】
前記SRSのための前記電力制御パラメータを前記取得するステップの前に、前記方法は、
伝送電力制御TPC情報を取得するステップであって、前記TPC情報は、前記第１の無線ネットワーク一時識別子RNTIを用いてスクランブルされた情報である、ステップをさらに含む、請求項１から１２のいずれか一項に記載の方法。
【請求項１４】
前記SRSのための前記電力制御パラメータを前記取得するステップは、
前記第１のRNTIに基づいて前記TPC情報から前記SRSのための前記閉ループ電力制御パラメータ値を解析して取り出すステップを含む、請求項１３に記載の方法。
【請求項１５】
前記SRSのための前記電力制御パラメータが前記SRSのための前記閉ループ電力制御パラメータ値を含むならば、
前記SRSのための前記電力制御パラメータを前記取得するステップの前に、前記方法は、
ダウンリンク制御情報DCIを取得するステップをさらに含む、請求項１および請求項１１から１４のいずれか一項に記載の方法。
【請求項１６】
前記SRSのための前記電力制御パラメータを前記取得するステップは、
前記DCIに基づいて前記SRSのための前記閉ループ電力制御パラメータ値を取得するステップを含む、請求項１５に記載の方法。
【請求項１７】
前記DCIが第２のキャリアにおいて取得された制御情報であるならば、前記DCIは少なくとも第１のキャリア・インデックスを含む、請求項１６に記載の方法。
【請求項１８】
前記第２のキャリアは、切り替え元のキャリアまたは切り替え先のキャリア以外のいずれかのキャリアであり、前記第１のキャリアは前記切り替え先のキャリアである、請求項１７に記載の方法。
【請求項１９】
前記DCIに基づいて前記SRSのための前記閉ループ電力制御パラメータ値を前記取得するステップは、
前記第１のキャリア・インデックスに対応するキャリアにおいて前記SRSのための前記閉ループ電力制御パラメータ値を取得するステップを含む、請求項１７または１８に記載の方法。
【請求項２０】
前記DCIが前記第１のキャリアにおいて取得された制御情報であるならば、
前記DCIに基づいて前記SRSのための前記閉ループ電力制御パラメータ値を前記取得するステップは、
前記DCIから前記SRSのための前記閉ループ電力制御パラメータ値を取得するステップを含む、請求項１６に記載の方法。
【請求項２１】
前記SRSのための前記閉ループ電力制御パラメータ値が相対的な調整値であるならば、
前記方法は、
前のサブフレーム内のSRSのための閉ループ電力制御情報または相対的な調整値のうちの少なくとも１つに基づいて前記SRSのための前記閉ループ電力制御パラメータ値を決定するステップをさらに含む、請求項１２から２０のいずれか一項に記載の方法。
【請求項２２】
前のサブフレーム内のSRSのための閉ループ電力制御情報または相対的な調整値のうちの少なくとも１つに基づいて前記SRSのための前記閉ループ電力制御パラメータ値を前記決定するステップは、
式fSRS,c1(i)=fSRS,c1(i-1)+δSRS,c1(i-KSRS)に従って前記SRSのための前記閉ループ電力制御パラメータ値fSRS,c1(i)を計算するステップであって、fSRS,c1(i-1)は前記前のサブフレーム内の前記SRSのための前記閉ループ電力制御情報であり、δSRS,c1(i-KSRS)は前記相対的な調整値であり、前記SRSが周期的に構成されるならば、KSRSは前記SRSのサブフレームの周期であり、または前記SRSが非周期的に構成されるならば、i-KSRSは前記前のサブフレームのサブフレーム番号である、ステップを含む、請求項２１に記載の方法。
【請求項２３】
前記SRSのための前記電力制御パラメータに基づいて前記SRSのための伝送電力を前記決定するステップは、
ユーザ機器UEの最大伝送電力、前記SRSのための伝送電力調整値、前記SRSのための伝送帯域幅、前記SRSのための前記ターゲット電力パラメータ値、前記パスロス補償係数、推定されたダウンリンク・パスロス値、および前記SRSのための前記閉ループ電力制御パラメータのうちの少なくとも１つに基づいて前記SRSのための前記伝送電力を取得するステップを含む、請求項１１から２２のいずれか一項に記載の方法。
【請求項２４】
前記SRSのための前記電力制御パラメータに基づいて前記SRSのための伝送電力を前記決定するステップは、
式PSRS,c1(i)=min{PCMAX,c1(i), PSRS_OFFSET,c1(m)+10log10(MSRS,c1)+PO_SRS,c1(j)+αSRS,c1(j)・PLSRS,c1+fSRS,c1(i)}に従って前記SRSのための前記伝送電力PSRS,c1(i)を計算するステップであって、PCMAX,c1(i)はi番目のサブフレームにおける前記ユーザ機器UEの最大伝送電力であり、PSRS_OFFSET,c1(m)は前記SRSのための前記伝送電力調整値であり、ここでmは0または1に等しく、MSRS,c1は前記SRSのための前記伝送帯域幅であり、PO_SRS,c1(j)は前記SRSのための前記ターゲット電力パラメータ値であり、αSRS,c1(j)は前記パスロス補償係数であり、PLSRS,c1は前記推定されたダウンリンク・パスロス値であり、fSRS,c1(i)は前記SRSのための前記閉ループ電力制御パラメータ値である、ステップを含む、請求項２３に記載の方法。
【請求項２５】
電力制御方法であって、
第１のサブフレームと第２のサブフレームのシンボル重複部分における伝送電力を取得するステップであって、前記第１のサブフレームは、第１のキャリアにおいてサウンディング基準信号SRSが伝送されるサブフレームであり、前記第２のサブフレームは、第２のキャリアにおいてSRSまたは物理チャネルが伝送されるサブフレームである、ステップと、
前記伝送電力がユーザ機器UEの最大伝送電力より大きいならば、伝送されるべき信号のための伝送電力を制御するステップであって、前記伝送されるべき信号は、前記SRSおよび／または前記物理チャネルを含む、ステップと、
を含む電力制御方法。
【請求項２６】
伝送されるべき信号のための伝送電力を前記制御するステップの前に、前記方法は、
前記SRSが周期的に構成されるか、または非周期的に構成されるかを決定するステップをさらに含む、請求項２５に記載の方法。
【請求項２７】
伝送されるべき信号のための伝送電力を前記制御するステップは、
前記SRSの周期的な構成に基づいて前記伝送されるべき信号のための前記伝送電力を制御するステップ、または
前記SRSの非周期的な構成に基づいて前記伝送されるべき信号のための前記伝送電力を制御するステップを含む、請求項２５または２６に記載の方法。
【請求項２８】
前記SRSが周期的に構成されるならば、伝送されるべき信号のための伝送電力を前記制御するステップは、
前記SRSを欠落させるか、または前記SRSのために電力スケーリングを実行するステップを含む、請求項２５から２７のいずれか一項に記載の方法。
【請求項２９】
前記SRSが非周期的に構成され、前記物理チャネルが物理アップリンク共有チャネルPUSCHであり、前記PUSCHがアップリンク制御情報UCIを含まないならば、
伝送されるべき信号のための伝送電力を前記制御するステップは、
前記PUSCHを欠落させるか、または前記PUSCHのために電力スケーリングを実行するステップを含む、請求項２５から２７のいずれか一項に記載の方法。
【請求項３０】
前記SRSが非周期的に構成され、前記物理チャネルが物理アップリンク共有チャネルPUSCHであり、前記PUSCHがアップリンク制御情報UCIを含むならば、
伝送されるべき信号のための伝送電力を前記制御するステップは、
前記SRSを欠落させるか、または前記SRSのために電力スケーリングを実行するステップを含む、請求項２５から２７のいずれか一項に記載の方法。
【請求項３１】
前記SRSが非周期的に構成され、前記物理チャネルが物理アップリンク制御チャネルPUCCHであるならば、
伝送されるべき信号のための伝送電力を前記制御するステップは、
前記SRSを欠落させるか、または前記SRSのために電力スケーリングを実行するステップ、または
前記PUCCHを欠落させるか、または前記PUCCHのために電力スケーリングを実行するステップを含む、請求項２５から２７のいずれか一項に記載の方法。
【請求項３２】
前記SRSが非周期的に構成され、前記物理チャネルが物理アップリンク制御チャネルPUCCHであり、前記PUCCHがハイブリッド自動再送要求HARQを含むならば、
伝送されるべき信号のための伝送電力を前記制御するステップは、
前記SRSを欠落させるか、または前記SRSのために電力スケーリングを実行するステップを含む、請求項２５から２７のいずれか一項に記載の方法。
【請求項３３】
前記SRSが非周期的に構成され、前記物理チャネルが物理アップリンク制御チャネルPUCCHであり、前記PUCCHがチャネル状態情報CSIのみを含むならば、
伝送されるべき信号のための伝送電力を前記制御するステップは、
前記SRSを欠落させるか、または前記SRSのために電力スケーリングを実行するステップ、または
前記PUCCHを欠落させるか、または前記PUCCHのために電力スケーリングを実行するステップを含む、請求項２５から２７のいずれか一項に記載の方法。
【請求項３４】
前記SRSが非周期的に構成され、前記物理チャネルがパケット・ランダム・アクセス・チャネルPRACHであり、前記PRACHが同時に発生するならば、
伝送されるべき信号のための伝送電力を前記制御するステップは、
前記SRSを欠落させるか、または前記SRSのために電力スケーリングを実行するステップを含む、請求項２５から２７のいずれか一項に記載の方法。
【請求項３５】
電力制御方法であって、前記方法は、
第１のキャリアにおけるサウンディング基準信号SRSのための電力制御パラメータを取得するステップであって、前記SRSのための前記電力制御パラメータは、前記SRSのためのターゲット電力パラメータ値、パスロス補償係数、および前記SRSのための閉ループ電力制御パラメータ値のうちの少なくとも１つを含む、ステップと、
ユーザ機器UEが前記SRSのための前記電力制御パラメータに基づいて前記第１のキャリアにおける前記SRSのための伝送電力を決定するように、前記SRSのための前記電力制御パラメータを前記UEに送信するステップと、
を含む電力制御方法。
【請求項３６】
前記第１のキャリアは物理アップリンク共有チャネルPUSCHが送信されないキャリアである、請求項３５に記載の方法。
【請求項３７】
前記SRSのための前記電力制御パラメータをユーザ機器UEに前記送信するステップは、
電力制御シグナリングまたはクロスキャリア電力制御シグナリングを使用することによって前記SRSのための前記電力制御パラメータを前記UEに送信するステップを含む、請求項３５または３６に記載の方法。
【請求項３８】
前記電力制御シグナリングは、開ループ電力制御シグナリングおよび／または閉ループ電力制御シグナリングを含む、請求項３７に記載の方法。
【請求項３９】
前記電力制御シグナリングまたは前記クロスキャリア電力制御シグナリングは、無線リソース制御RRCシグナリングまたは物理レイヤ・シグナリングを含む、請求項３７または３８に記載の方法。
【請求項４０】
前記SRSのための前記ターゲット電力パラメータ値は、プリアンブル初期受信ターゲット電力値に基づいて取得されたパラメータ値であるか、または
前記SRSのための前記ターゲット電力パラメータ値は、前記プリアンブル初期受信ターゲット電力値および電力調整値に基づいて取得されたパラメータ値である、請求項３５から３９のいずれか一項に記載の方法。
【請求項４１】
電力制御シグナリングまたはクロスキャリア電力制御シグナリングを使用することによって前記SRSのための前記電力制御パラメータを前記UEに前記送信するステップは、
第１の無線ネットワーク一時識別子RNTIに基づいて前記SRSのための前記電力制御パラメータをスクランブルして前記電力制御シグナリングまたは前記クロスキャリア電力制御シグナリングを生成するステップと、
前記電力制御シグナリングまたは前記クロスキャリア電力制御シグナリングを前記UEに送信するステップと、を含む、請求項３９または４０に記載の方法。
【請求項４２】
前記SRSは、周期的に構成され、または非周期的に構成される、請求項３５に記載の方法。
【請求項４３】
前記SRSのための前記電力制御パラメータが前記SRSのための前記閉ループ電力制御パラメータを含むならば、前記SRSのための前記閉ループ電力制御パラメータは、絶対値または相対的な調整値である、請求項３５または４２に記載の方法。
【請求項４４】
前記方法は、
前記UEが伝送電力制御TPC情報から前記SRSのための前記閉ループ電力制御パラメータ値を解析して取り出すように、前記TPC情報を前記UEに送信するステップであって、前記TPC情報は、前記第１の無線ネットワーク一時識別子RNTIを用いてスクランブルされた情報である、ステップをさらに含む、請求項３５から４３のいずれか一項に記載の方法。
【請求項４５】
前記SRSのための前記電力制御パラメータが前記SRSのための前記閉ループ電力制御パラメータを含むならば、前記方法は、
前記UEがダウンリンク制御情報DCIに基づいて前記SRSのための前記閉ループ電力制御パラメータ値を取得するように、前記DCIを前記UEに送信するステップをさらに含む、請求項３５および請求項４２から４４のいずれか一項に記載の方法。
【請求項４６】
前記DCIが第２のキャリアにおいて取得された制御情報であるならば、前記DCIは少なくとも第１のキャリア・インデックスを含み、前記DCIは、前記第１のキャリア・インデックスに対応するキャリアにおいて前記SRSのための前記閉ループ電力制御パラメータ値を取得するように前記UEに命令するために使用される、請求項４５に記載の方法。
【請求項４７】
前記第２のキャリアは、切り替え元のキャリアまたは切り替え先のキャリア以外のいずれかのキャリアであり、前記第１のキャリアは前記切り替え先のキャリアである、請求項４６に記載の方法。
【請求項４８】
前記DCIが前記第１のキャリアにおいて取得された制御情報であるならば、前記DCIは、前記DCIから前記SRSのための前記閉ループ電力制御パラメータ値を取得するように前記UEに命令するために使用される、請求項４５に記載の方法。
【請求項４９】
電力制御装置であって、
サウンディング基準信号SRSのための電力制御パラメータを取得するように構成された取得モジュールであって、前記SRSのための前記電力制御パラメータは、前記SRSのためのターゲット電力パラメータ値、パスロス補償係数、および前記SRSのための閉ループ電力制御パラメータ値のうちの少なくとも１つを含む、取得モジュールと、
前記SRSのための前記電力制御パラメータに基づいて第１のキャリアにおける前記SRSのための伝送電力を決定するように構成された決定モジュールと、
を含む電力制御装置。
【請求項５０】
前記第１のキャリアは物理アップリンク共有チャネルPUSCHが送信されないキャリアである、請求項４９に記載の装置。
【請求項５１】
前記取得モジュールは、具体的には、基地局によって送信される電力制御シグナリングまたはクロスキャリア電力制御シグナリングを受信するように構成された、請求項４９または５０に記載の装置。
【請求項５２】
前記電力制御シグナリングは、開ループ電力制御シグナリングおよび／または閉ループ電力制御シグナリングを含む、請求項５０に記載の装置。
【請求項５３】
前記取得モジュールは、具体的には、前記電力制御シグナリングまたは前記クロスキャリア電力制御シグナリングから前記SRSのための前記電力制御パラメータを取得するようにさらに構成された、請求項５１または５２に記載の装置。
【請求項５４】
前記電力制御シグナリングまたは前記クロスキャリア電力制御シグナリングは、無線リソース制御RRCシグナリングまたは物理レイヤ・シグナリングを含む、請求項５１から５３のいずれか一項に記載の装置。
【請求項５５】
前記SRSのための前記ターゲット電力パラメータ値は、プリアンブル初期受信ターゲット電力値に基づいて取得されたパラメータ値であるか、または
前記SRSのための前記ターゲット電力パラメータ値は、前記プリアンブル初期受信ターゲット電力値および電力調整値に基づいて取得されたパラメータ値である、請求項４９から５４のいずれか一項に記載の装置。
【請求項５６】
前記取得モジュールが、前記電力制御シグナリングまたは前記クロスキャリア電力制御シグナリングから前記電力制御パラメータを取得することは、
前記取得モジュールが、第１の無線ネットワーク一時識別子RNTIに基づいて前記電力制御シグナリングまたは前記クロスキャリア電力制御シグナリングから前記SRSのための前記電力制御パラメータを解析して取り出すことを含む、請求項５３から５５のいずれか一項に記載の装置。
【請求項５７】
前記決定モジュールは、具体的には、ユーザ機器UEの最大伝送電力、前記SRSのための伝送電力調整値、前記SRSのための伝送帯域幅、前記SRSのための前記ターゲット電力パラメータ値、前記パスロス補償係数、および推定されたダウンリンク・パスロス値のうちの少なくとも１つに基づいて前記SRSのための前記伝送電力を取得するように構成された、請求項４９から５６のいずれか一項に記載の装置。
【請求項５８】
前記決定モジュールは、具体的には、式PSRS,c1(i)=min{PCMAX,c1(i), PSRS_OFFSET,c1(m)+10log10(MSRS,c1)+PO_SRS,c1(j)+αSRS,c1(j)・PLSRS,c1}に従って前記SRSのための前記伝送電力PSRS,c1(i)を計算するように構成され、ここでPCMAX,c1(i)はi番目のサブフレームにおける前記ユーザ機器UEの最大伝送電力であり、PSRS_OFFSET,c1(m)は前記SRSのための前記伝送電力調整値であり、ここでmは0または1に等しく、MSRS,c1は前記SRSのための前記伝送帯域幅であり、PO_SRS,c1(j)は前記SRSのための前記ターゲット電力パラメータ値であり、ここでjは0、1、または2に等しく、αSRS,c1(j)は前記パスロス補償係数であり、PLSRS,c1は前記推定されたダウンリンク・パスロス値である、請求項５７に記載の装置。
【請求項５９】
前記決定モジュールは、前記SRSが周期的に構成されるか、または非周期的に構成されるかを決定するようにさらに構成された、請求項４９に記載の装置。
【請求項６０】
前記SRSのための前記電力制御パラメータが前記SRSのための前記閉ループ電力制御パラメータ値を含むならば、前記SRSのための前記閉ループ電力制御パラメータ値は、絶対値または相対的な調整値である、請求項４９または５９に記載の装置。
【請求項６１】
前記取得モジュールは、伝送電力制御TPC情報を取得するようにさらに構成され、ここで前記TPC情報は、前記第１の無線ネットワーク一時識別子RNTIを用いてスクランブルされた情報である、請求項４９から６０のいずれか一項に記載の装置。
【請求項６２】
前記取得モジュールが、前記SRSのための前記電力制御パラメータを取得することは、
前記取得モジュールが、前記第１のRNTIに基づいて前記TPC情報から前記SRSのための前記閉ループ電力制御パラメータ値を解析して取り出すことを含む、請求項６１に記載の装置。
【請求項６３】
前記SRSのための前記電力制御パラメータが前記SRSのための前記閉ループ電力制御パラメータ値を含むならば、
前記取得モジュールは、ダウンリンク制御情報DCIを取得するようにさらに構成された、請求項４９および請求項５９から６２のいずれか一項に記載の装置。
【請求項６４】
前記取得モジュールが、前記SRSのための前記電力制御パラメータを取得することは、
前記取得モジュールが、前記DCIに基づいて前記SRSのための前記閉ループ電力制御パラメータ値を取得することを含む、請求項６３に記載の装置。
【請求項６５】
前記DCIが第２のキャリアにおいて取得された制御情報であるならば、前記DCIは少なくとも第１のキャリア・インデックスを含む、請求項６４に記載の装置。
【請求項６６】
前記第２のキャリアは、切り替え元のキャリアまたは切り替え先のキャリア以外のいずれかのキャリアであり、前記第１のキャリアは前記切り替え先のキャリアである、請求項６５に記載の装置。
【請求項６７】
前記取得モジュールが、前記DCIに基づいて前記SRSのための前記閉ループ電力制御パラメータ値を取得することは、
前記取得モジュールが、前記第１のキャリア・インデックスに対応するキャリアにおいて前記SRSのための前記閉ループ電力制御パラメータ値を取得することを含む、請求項６５または６６に記載の装置。
【請求項６８】
前記DCIが前記第１のキャリアにおいて取得された制御情報であるならば、
前記取得モジュールが、前記DCIに基づいて前記SRSのための前記閉ループ電力制御パラメータ値を取得することは、
前記取得モジュールが、前記DCIから前記SRSのための前記閉ループ電力制御パラメータ値を取得することを含む、請求項６４に記載の装置。
【請求項６９】
前記SRSのための前記閉ループ電力制御パラメータ値が相対的な調整値であるならば、
前記決定モジュールは、前のサブフレーム内のSRSのための閉ループ電力制御情報または相対的な調整値のうちの少なくとも１つに基づいて前記SRSのための前記閉ループ電力制御パラメータ値を決定するようにさらに構成された、請求項６０から６８のいずれか一項に記載の装置。
【請求項７０】
前記決定モジュールが、前のサブフレーム内のSRSのための閉ループ電力制御情報または相対的な調整値のうちの少なくとも１つに基づいて、前記SRSのための前記閉ループ電力制御パラメータを決定することは、
前記決定モジュールが、式fSRS,c1(i)=fSRS,c1(i-1)+δSRS,c1(i-KSRS)に従って前記SRSのための前記閉ループ電力制御パラメータ値fSRS,c1(i)を計算することを含み、ここでfSRS,c1(i-1)は前記前のサブフレーム内の前記SRSのための前記閉ループ電力制御情報であり、δSRS,c1(i-KSRS)は前記相対的な調整値であり、前記SRSが周期的に構成されるならば、KSRSは前記SRSのサブフレームの周期であり、または前記SRSが非周期的に構成されるならば、i-KSRSは前記前のサブフレームのサブフレーム番号である、請求項６９に記載の装置。
【請求項７１】
前記決定モジュールが、前記SRSのための前記電力制御パラメータに基づいて前記SRSのための伝送電力を決定することは、
前記決定モジュールが、前記ユーザ機器UEの最大伝送電力、前記SRSのための伝送電力調整値、前記SRSのための伝送帯域幅、前記SRSのための前記ターゲット電力パラメータ値、前記パスロス補償係数、前記推定されたダウンリンク・パスロス値、および前記SRSのための閉ループ電力制御パラメータのうちの少なくとも１つに基づいて前記SRSのための前記伝送電力を取得することを含む、請求項５９から７０のいずれか一項に記載の装置。
【請求項７２】
前記決定モジュールが、前記SRSのための前記電力制御パラメータに基づいて前記SRSのための伝送電力を決定することは、
前記決定モジュールが、式PSRS,c1(i)=min{PCMAX,c1(i), PSRS_OFFSET,c1(m)+10log10(MSRS,c1)+PO_SRS,c1(j)+αSRS,c1(j)・PLSRS,c1+fSRS,c1(i)}に従って前記SRSのための前記伝送電力PSRS,c1(i)を計算することを含み、ここでPCMAX,c1(i)はi番目のサブフレームにおける前記ユーザ機器UEの最大伝送電力であり、PSRS_OFFSET,c1(m)は前記SRSのための前記伝送電力調整値であり、ここでmは0または1に等しく、MSRS,c1は前記SRSのための前記伝送帯域幅であり、PO_SRS,c1(j)は前記SRSのための前記ターゲット電力パラメータ値であり、αSRS,c1(j)は前記パスロス補償係数であり、PLSRS,c1は前記推定されたダウンリンク・パスロス値であり、fSRS,c1(i)は前記SRSのための前記閉ループ電力制御パラメータ値である、請求項７１に記載の装置。
【請求項７３】
電力制御装置であって、
第１のサブフレームと第２のサブフレームのシンボル重複部分における伝送電力を取得するように構成された取得モジュールであって、前記第１のサブフレームは、第１のキャリアにおいてサウンディング基準信号SRSが伝送されるサブフレームであり、前記第２のサブフレームは、第２のキャリアにおいてSRSまたは物理チャネルが伝送されるサブフレームである、取得モジュールと、
前記伝送電力がユーザ機器UEの最大伝送電力より大きいならば、伝送されるべき信号のための伝送電力を制御するように構成された処理モジュールであって、前記伝送されるべき信号は、前記SRSおよび／または前記物理チャネルを含む、処理モジュールと、
を含む電力制御装置。
【請求項７４】
前記処理モジュールは、前記SRSが周期的に構成されるか、または非周期的に構成されるかを決定するようにさらに構成された、請求項７３に記載の装置。
【請求項７５】
前記処理モジュールが、伝送されるべき信号のための伝送電力を制御することは、
前記処理モジュールが、前記SRSの周期的な構成に基づいて前記伝送されるべき信号のための前記伝送電力を制御するか、または
前記処理モジュールが、前記SRSの非周期的な構成に基づいて前記伝送されるべき信号のための前記伝送電力を制御することを含む、請求項７３または７４に記載の装置。
【請求項７６】
前記SRSが周期的に構成されるならば、前記処理モジュールが、伝送されるべき信号のための伝送電力を制御することは、
前記処理モジュールが、前記SRSを欠落させるか、または前記SRSのために電力スケーリングを実行することを含む、請求項７３から７５のいずれか一項に記載の装置。
【請求項７７】
前記SRSが非周期的に構成され、前記物理チャネルが物理アップリンク共有チャネルPUSCHであり、前記PUSCHがアップリンク制御情報UCIを含まないならば、
前記処理モジュールが、伝送されるべき信号のための伝送電力を制御することは、
前記処理モジュールが、前記PUSCHを欠落させるか、または前記PUSCHのために電力スケーリングを実行することを含む、請求項７３から７５のいずれか一項に記載の装置。
【請求項７８】
前記SRSが非周期的に構成され、前記物理チャネルが物理アップリンク共有チャネルPUSCHであり、前記PUSCHがアップリンク制御情報UCIを含むならば、
前記処理モジュールが、伝送されるべき信号のための伝送電力を制御することは、
前記処理モジュールが、前記SRSを欠落させるか、または前記SRSのために電力スケーリングを実行することを含む、請求項７３から７５のいずれか一項に記載の装置。
【請求項７９】
前記SRSが非周期的に構成され、前記物理チャネルが物理アップリンク制御チャネルPUCCHであるならば、
前記処理モジュールが、伝送されるべき信号のための伝送電力を制御することは、
前記処理モジュールが、前記SRSを欠落させるか、または前記SRSのために電力スケーリングを実行するか、または
前記処理モジュールが、前記PUCCHを欠落させるか、または前記PUCCHのために電力スケーリングを実行することを含む、請求項７３から７５のいずれか一項に記載の装置。
【請求項８０】
前記SRSが非周期的に構成され、前記物理チャネルが物理アップリンク制御チャネルPUCCHであり、前記PUCCHがハイブリッド自動再送要求HARQを含むならば、
前記処理モジュールが、伝送されるべき信号のための伝送電力を制御することは、
前記処理モジュールが、前記SRSを欠落させるか、または前記SRSのために電力スケーリングを実行することを含む、請求項７３から７５のいずれか一項に記載の装置。
【請求項８１】
前記SRSが非周期的に構成され、前記物理チャネルが物理アップリンク制御チャネルPUCCHであり、前記PUCCHがチャネル状態情報CSIのみを含むならば、
前記処理モジュールが、伝送されるべき信号のための伝送電力を制御することは、
前記処理モジュールが、前記SRSを欠落させるか、または前記SRSのために電力スケーリングを実行するか、または
前記処理モジュールが、前記PUCCHを欠落させるか、または前記PUCCHのために電力スケーリングを実行することを含む、請求項７３から７５のいずれか一項に記載の装置。
【請求項８２】
前記SRSが非周期的に構成され、前記物理チャネルがパケット・ランダム・アクセス・チャネルPRACHであり、前記PRACHが同時に発生するならば、
前記処理モジュールが、伝送されるべき信号のための伝送電力を制御することは、
前記処理モジュールが、前記SRSを欠落させるか、または前記SRSのために電力スケーリングを実行することを含む、請求項７３から７５のいずれか一項に記載の装置。
【請求項８３】
電力制御装置であって、
第１のキャリアにおけるサウンディング基準信号SRSのための電力制御パラメータを取得するように構成された取得モジュールであって、前記SRSのための前記電力制御パラメータは、前記SRSのためのターゲット電力パラメータ値、パスロス補償係数、および前記SRSのための閉ループ電力制御パラメータ値のうちの少なくとも１つを含む、取得モジュールと、
ユーザ機器UEが前記SRSのための前記電力制御パラメータに基づいて前記第１のキャリアにおける前記SRSのための伝送電力を決定するように、前記SRSのための前記電力制御パラメータを前記UEに送信するように構成された送信モジュールと、
を含む電力制御装置。
【請求項８４】
前記第１のキャリアは物理アップリンク共有チャネルPUSCHが送信されないキャリアである、請求項８３に記載の装置。
【請求項８５】
前記送信モジュールは、具体的には、電力制御シグナリングまたはクロスキャリア電力制御シグナリングを使用することによって前記SRSのための前記電力制御パラメータを前記UEに送信するように構成された、請求項８３または８４に記載の装置。
【請求項８６】
前記電力制御シグナリングは、開ループ電力制御シグナリングおよび／または閉ループ電力制御シグナリングを含む、請求項８５に記載の装置。
【請求項８７】
前記電力制御シグナリングまたは前記クロスキャリア電力制御シグナリングは、無線リソース制御RRCシグナリングまたは物理レイヤ・シグナリングを含む、請求項８５または８６に記載の装置。
【請求項８８】
前記SRSのための前記ターゲット電力パラメータ値は、プリアンブル初期受信ターゲット電力値に基づいて取得されたパラメータ値であるか、または
前記SRSのための前記ターゲット電力パラメータ値は、前記プリアンブル初期受信ターゲット電力値および電力調整値に基づいて取得されたパラメータ値である、請求項８３から８７のいずれか一項に記載の装置。
【請求項８９】
前記送信モジュールが、電力制御シグナリングまたはクロスキャリア電力制御シグナリングを使用することによって前記SRSのための前記電力制御パラメータを前記UEに送信することは、
前記送信モジュールが、第１の無線ネットワーク一時識別子RNTIに基づいて前記SRSのための前記電力制御パラメータをスクランブルして前記電力制御シグナリングまたは前記クロスキャリア電力制御シグナリングを生成し、前記電力制御シグナリングまたは前記クロスキャリア電力制御シグナリングを前記UEに送信することを含む、請求項８７または８８に記載の装置。
【請求項９０】
前記SRSは、周期的に構成され、または非周期的に構成される、請求項８３に記載の装置。
【請求項９１】
前記SRSのための前記電力制御パラメータが前記SRSのための前記閉ループ電力制御パラメータ値を含むならば、前記SRSのための前記閉ループ電力制御パラメータ値は、絶対値または相対的な調整値である、請求項８３または９０に記載の装置。
【請求項９２】
前記送信モジュールは、前記UEが伝送電力制御TPC情報から前記SRSのための前記閉ループ電力制御パラメータ値を解析して取り出すように、前記TPC情報を前記UEに送信するようにさらに構成され、ここで前記TPC情報は、前記第１の無線ネットワーク一時識別子RNTIを用いてスクランブルされた情報である、請求項８３から９１のいずれか一項に記載の装置。
【請求項９３】
前記SRSのための前記電力制御パラメータが前記SRSのための前記閉ループ電力制御パラメータ値を含むならば、
前記送信モジュールは、前記UEがダウンリンク制御情報DCIに基づいて前記SRSのための前記閉ループ電力制御パラメータ値を取得するように、前記DCIを前記UEに送信するようにさらに構成された、請求項８３および請求項９０から９２のいずれか一項に記載の装置。
【請求項９４】
前記DCIが第２のキャリアにおいて取得された制御情報であるならば、前記DCIは少なくとも第１のキャリア・インデックスを含み、前記DCIは、前記第１のキャリア・インデックスに対応するキャリアにおいて前記SRSのための前記閉ループ電力制御パラメータ値を取得するように前記UEに命令するために使用される、請求項９３に記載の装置。
【請求項９５】
前記第２のキャリアは、切り替え元のキャリアまたは切り替え先のキャリア以外のいずれかのキャリアであり、前記第１のキャリアは前記切り替え先のキャリアである、請求項９４に記載の装置。
【請求項９６】
前記DCIが前記第１のキャリアにおいて取得された制御情報であるならば、前記DCIは、前記DCIから前記SRSのための前記閉ループ電力制御パラメータ値を取得するように前記UEに命令するために使用される、請求項９３に記載の装置。
【発明の詳細な説明】
【技術分野】
【０００１】
本発明の実施形態は、通信技術、詳細には、電力制御方法および装置に関する。
【背景技術】
【０００２】
システム伝送帯域幅を増加させるために、キャリア・アグリゲーション技術がロング・ターム・エボリューション・アドバンスト(Long Term Evolution- Advance, 略してLTE-A)システムに導入されている。
【０００３】
キャリア・アグリゲーションの間、ユーザ機器(User Equipment, 略してUE)は、通常、より大きい数のダウンリンク・キャリア、一方、ずっと小さい数のアップリンク・キャリアを集めることができる。一般に、チャネルの非交換性に基づいて、いくつかのダウンリンク・チャネルの測定のために、チャネルの非交換性の特徴、例えば、プリコーディング行列インデックス(precoding matrix index, 略してPMI)およびアップリンク・サウンディング基準信号(Sounding Reference Symbol, 略してSRS)を使用することによってダウンリンク・チャネルの測定が取得される。UEのダウンリンク・キャリア・アグリゲーション容量は、そのアップリンク・キャリア・アグリゲーション容量より大きいので、UEのダウンリンク伝送のためのいくつかの時分割複信(time division duplex, 略してTDD)キャリアにおいて、アップリンク伝送は存在しない。タイムリーなSRS伝送を保証するために、キャリア切り替えが要求される。例えば、第１のサブフレーム内でダウンリンク伝送のためにキャリア1およびキャリア2が使用される。第２のサブフレーム内でSRS伝送が要求されるとき、キャリア切り替えが実行される。キャリア2はキャリア3に変更され、キャリア3はSRSを伝送するために使用される。その上、SRSのための伝送電力は、SRSが正しく受信されることを保証するために制御される必要がある。
【０００４】
先行技術のSRS電力制御の解決策のパラメータ設定は、物理アップリンク共有チャネル(Physical Uplink Shared Channel, 略してPUSCH)電力制御に関連するいくつかのパラメータに依存し、一方、UEは、SRS伝送のために使用される切り替え先のキャリアにおけるPUSCH電力制御に関連するパラメータを取得することができない。結果として、SRS電力制御は可能でなく、SRSは正しく受信されることができない。
【発明の概要】
【課題を解決するための手段】
【０００５】
本発明の実施形態は電力制御方法および装置を提供し、それによってSRSは切り替え先のキャリアにおいて最適な伝送電力で伝送され、SRSが正しく受信されることを保証する。
【０００６】
第１の態様によれば、本発明の実施形態は、サウンディング基準信号SRSのための電力制御パラメータを取得するステップであって、SRSのための電力制御パラメータは、SRSのためのターゲット電力パラメータ値、パスロス補償係数、およびSRSのための閉ループ電力制御パラメータ値のうちの少なくとも１つを含む、ステップと、SRSのための電力制御パラメータに基づいて第１のキャリアにおけるSRSのための伝送電力を決定するステップと、を含む、電力制御方法を提供する。UEは、SRSのための新たに構成された電力制御パラメータに基づいて、第１のキャリアにおけるSRSのための伝送電力を計算することができ、それによってSRSは切り替え先のキャリアにおいて最適な伝送電力で伝送され、SRSが正しく受信されることを保証する。
【０００７】
可能な設計において、第１のキャリアは物理アップリンク共有チャネルPUSCHが送信されないキャリアである。
【０００８】
可能な設計において、サウンディング基準信号SRSのための電力制御パラメータを取得するステップは、基地局によって送信される電力制御シグナリングまたはクロスキャリア電力制御シグナリングを受信するステップを含む。
【０００９】
可能な設計において、電力制御シグナリングは、開ループ電力制御シグナリングおよび／または閉ループ電力制御シグナリングを含む。
【００１０】
可能な設計において、サウンディング基準信号SRSのための電力制御パラメータを取得するステップは、電力制御シグナリングまたはクロスキャリア電力制御シグナリングからSRSのための電力制御パラメータを取得するステップを含む。
【００１１】
可能な設計において、電力制御シグナリングまたはクロスキャリア電力制御シグナリングは、無線リソース制御RRCシグナリングまたは物理レイヤ・シグナリングを含む。
【００１２】
上記の可能な設計を用いて、UEは、異なる方式でSRSのための電力制御パラメータを取得することができる。SRSのための電力制御パラメータを取得する方式は、柔軟であり、動作の容易さを特徴とする。
【００１３】
可能な設計において、SRSのためのターゲット電力パラメータ値は、プリアンブル初期受信ターゲット電力値に基づいて取得されたパラメータ値であるか、またはSRSのためのターゲット電力パラメータ値は、プリアンブル初期受信ターゲット電力値および電力調整値に基づいて取得されたパラメータ値である。
【００１４】
可能な設計において、電力制御シグナリングまたはクロスキャリア電力制御シグナリングから電力制御パラメータを取得するステップは、第１の無線ネットワーク一時識別子RNTIに基づいて電力制御シグナリングまたはクロスキャリア電力制御シグナリングからSRSのための電力制御パラメータを解析して取り出すステップを含む。
【００１５】
可能な設計において、SRSのための電力制御パラメータに基づいてSRSのための伝送電力を決定するステップは、ユーザ機器UEの最大伝送電力、SRSのための伝送電力調整値、SRSのための伝送帯域幅、SRSのためのターゲット電力パラメータ値、パスロス補償係数、および推定されたダウンリンク・パスロス値のうちの少なくとも１つに基づいてSRSのための伝送電力を取得するステップを含む。
【００１６】
可能な設計において、SRSのための電力制御パラメータに基づいてSRSのための伝送電力を決定するステップは、式PSRS,c1(i)=min{PCMAX,c1(i), PSRS_OFFSET,c1(m)+10log10(MSRS,c1)+PO_SRS,c1(j)+αSRS,c1(j)・PLSRS,c1}に従ってSRSのための伝送電力PSRS,c1(i)を計算するステップであって、PCMAX,c1(i)はi番目のサブフレームにおけるユーザ機器UEの最大伝送電力であり、PSRS_OFFSET,c1(m)はSRSのための伝送電力調整値であり、ここでmは0または1に等しく、MSRS,c1はSRSのための伝送帯域幅であり、PO_SRS,c1(j)はSRSのためのターゲット電力パラメータ値であり、ここでjは0、1、または2に等しく、αSRS,c1(j)はパスロス補償係数であり、PLSRS,c1は推定されたダウンリンク・パスロス値である、ステップを含む。
【００１７】
上記の可能な実装を用いて、UEは、SRSのための伝送電力を正確に計算することができ、それによってSRS伝送品質を保証する。
【００１８】
可能な設計において、SRSのための電力制御パラメータに基づいてSRSのための伝送電力を決定するステップの前に、方法は、SRSが周期的に構成されるか、または非周期的に構成されるかを決定するステップをさらに含む。
【００１９】
可能な設計において、SRSのための電力制御パラメータがSRSのための閉ループ電力制御パラメータ値を含むならば、SRSのための閉ループ電力制御パラメータ値は、絶対値または相対的な調整値である。
【００２０】
可能な設計において、SRSのための電力制御パラメータを取得するステップの前に、方法は、伝送電力制御TPC情報を取得するステップであって、TPC情報は、第１の無線ネットワーク一時識別子RNTIを用いてスクランブルされた情報である、ステップをさらに含む。
【００２１】
可能な設計において、SRSのための電力制御パラメータを取得するステップは、第１のRNTIに基づいてTPC情報からSRSのための閉ループ電力制御パラメータ値を解析して取り出すステップを含む。
【００２２】
可能な設計において、SRSのための電力制御パラメータがSRSのための閉ループ電力制御パラメータ値を含むならば、SRSのための電力制御パラメータを取得するステップの前に、方法は、ダウンリンク制御情報DCIを取得するステップをさらに含む。
【００２３】
可能な設計において、SRSのための電力制御パラメータを取得するステップは、DCIに基づいてSRSのための閉ループ電力制御パラメータ値を取得するステップを含む。
【００２４】
可能な設計において、DCIが第２のキャリアにおいて取得された制御情報であるならば、DCIは少なくとも第１のキャリア・インデックスを含む。
【００２５】
可能な設計において、第２のキャリアは、切り替え元のキャリアまたは切り替え先のキャリア以外のいずれかのキャリアであり、第１のキャリアは切り替え先のキャリアである。
【００２６】
可能な設計において、DCIに基づいてSRSのための閉ループ電力制御パラメータ値を取得することは、第１のキャリア・インデックスに対応するキャリアにおいてSRSのための閉ループ電力制御パラメータ値を取得することを含む。
【００２７】
可能な設計において、DCIが第１のキャリアにおいて取得された制御情報であるならば、DCIに基づいてSRSのための閉ループ電力制御パラメータ値を取得することは、DCIからSRSのための閉ループ電力制御パラメータ値を取得することを含む。
【００２８】
上記の可能な設計を用いて、UEは、異なる方式でSRSのための閉ループ電力制御パラメータ値を取得することができる。その上、新しいDCIフォーマットが定義され、それによってUEは、SRSのための完全な電力制御パラメータを取得して、SRS伝送の信頼性を保証することができる。
【００２９】
可能な設計において、SRSのための閉ループ電力制御パラメータ値が相対的な調整値であるならば、方法は、前のサブフレーム内のSRSのための閉ループ電力制御情報または相対的な調整値のうちの少なくとも１つに基づいてSRSのための閉ループ電力制御パラメータ値を決定するステップをさらに含む。
【００３０】
可能な設計において、前のサブフレーム内のSRSのための閉ループ電力制御情報または相対的な調整値のうちの少なくとも１つに基づいてSRSのための閉ループ電力制御パラメータ値を決定するステップは、式fSRS,c1(i)=fSRS,c1(i-1)+δSRS,c1(i-KSRS)に従ってSRSのための閉ループ電力制御パラメータ値fSRS,c1(i)を計算するステップであって、fSRS,c1(i-1)は前のサブフレーム内のSRSのための閉ループ電力制御情報であり、δSRS,c1(i-KSRS)は相対的な調整値であり、SRSが周期的に構成されるならば、KSRSはSRSのサブフレームの周期であり、またはSRSが非周期的に構成されるならば、i-KSRSは前のサブフレームのサブフレーム番号である、ステップを含む。
【００３１】
可能な設計において、SRSのための電力制御パラメータに基づいてSRSのための伝送電力を決定するステップは、ユーザ機器UEの最大伝送電力、SRSのための伝送電力調整値、SRSのための伝送帯域幅、SRSのためのターゲット電力パラメータ値、パスロス補償係数、推定されたダウンリンク・パスロス値、およびSRSのための閉ループ電力制御パラメータのうちの少なくとも１つに基づいて、SRSのための伝送電力を取得するステップを含む。
【００３２】
可能な設計において、SRSのための電力制御パラメータに基づいてSRSのための伝送電力を決定するステップは、式PSRS,c1(i)=min{PCMAX,c1(i), PSRS_OFFSET,c1(m)+10log10(MSRS,c1)+PO_SRS,c1(j)+αSRS,c1(j)・PLSRS,c1+fSRS,c1(i)}に従ってSRSのための伝送電力PSRS,c1(i)を計算するステップであって、PCMAX,c1(i)はi番目のサブフレームにおけるユーザ機器UEの最大伝送電力であり、PSRS_OFFSET,c1(m)はSRSのための伝送電力調整値であり、ここでmは0または1に等しく、MSRS,c1はSRSのための伝送帯域幅であり、PO_SRS,c1(j)はSRSのためのターゲット電力パラメータ値であり、αSRS,c1(j)はパスロス補償係数であり、PLSRS,c1は推定されたダウンリンク・パスロス値であり、fSRS,c1(i)はSRSのための閉ループ電力制御パラメータ値である、ステップを含む。
【００３３】
上記の可能な設計を用いて、UEは、閉ループ状況において正確にSRSのための伝送電力を計算することができ、それによってSRSが異なる状況において正しく受信されることができることを保証する。
【００３４】
第２の態様によれば、本発明の実施形態は、第１のサブフレームと第２のサブフレームのシンボル重複部分における伝送電力を取得するステップであって、第１のサブフレームは、第１のキャリアにおいてサウンディング基準信号SRSが伝送されるサブフレームであり、第２のサブフレームは、第２のキャリアにおいてSRSまたは物理チャネルが伝送されるサブフレームである、ステップと、伝送電力がユーザ機器UEの最大伝送電力より大きいならば、伝送されるべき信号のための伝送電力を制御するステップであって、伝送されるべき信号はSRSおよび／または物理チャネルを含む、ステップを含む、電力制御方法を提供する。
【００３５】
可能な設計において、伝送されるべき信号のための伝送電力を制御するステップの前に、方法は、SRSが周期的に構成されるか、または非周期的に構成されるかを決定するステップをさらに含む。
【００３６】
可能な設計において、伝送されるべき信号のための伝送電力を制御するステップは、SRSの周期的な構成に基づいて伝送されるべき信号のための伝送電力を制御するステップ、またはSRSの非周期的な構成に基づいて伝送されるべき信号のための伝送電力を制御するステップを含む。
【００３７】
可能な設計において、SRSが周期的に構成されるならば、伝送されるべき信号のための伝送電力を制御するステップは、SRSを欠落させるか、またはSRSのために電力スケーリングを実行するステップを含む。
【００３８】
可能な設計において、SRSが非周期的に構成され、物理チャネルが物理アップリンク共有チャネルPUSCHであり、PUSCHがアップリンク制御情報UCIを含まないならば、伝送されるべき信号のための伝送電力を制御するステップは、PUSCHを欠落させるか、またはPUSCHのために電力スケーリングを実行するステップを含む。
【００３９】
可能な設計において、SRSが非周期的に構成され、物理チャネルが物理アップリンク共有チャネルPUSCHであり、PUSCHがアップリンク制御情報UCIを含むならば、伝送されるべき信号のための伝送電力を制御するステップは、SRSを欠落させるか、またはSRSのために電力スケーリングを実行するステップを含む。
【００４０】
可能な設計において、SRSが非周期的に構成され、物理チャネルが物理アップリンク制御チャネルPUCCHであるならば、伝送されるべき信号のための伝送電力を制御するステップは、SRSを欠落させるか、またはSRSのために電力スケーリングを実行するステップ、またはPUCCHを欠落させるか、またはPUCCHのために電力スケーリングを実行するステップを含む。
【００４１】
可能な設計において、SRSが非周期的に構成され、物理チャネルが物理アップリンク制御チャネルPUCCHであり、PUCCHがハイブリッド自動再送要求HARQを含むならば、伝送されるべき信号のための伝送電力を制御するステップは、SRSを欠落させるか、またはSRSのために電力スケーリングを実行するステップを含む。
【００４２】
可能な設計において、SRSが非周期的に構成され、物理チャネルが物理アップリンク制御チャネルPUCCHであり、PUCCHがチャネル状態情報CSIのみを含むならば、伝送されるべき信号のための伝送電力を制御するステップは、SRSを欠落させるか、またはSRSのために電力スケーリングを実行するステップ、またはPUCCHを欠落させるか、またはPUCCHのために電力スケーリングを実行するステップを含む。
【００４３】
可能な設計において、SRSが非周期的に構成され、物理チャネルがパケット・ランダム・アクセス・チャネルPRACHであり、PRACHが同時に発生するならば、伝送されるべき信号のための伝送電力を制御するステップは、SRSを欠落させるか、またはSRSのために電力スケーリングを実行するステップを含む。
【００４４】
この実施形態において提供される電力制御方法の実装原理および有益な効果は、第１の態様のそれらと同様であり、詳細は再度ここで説明されない。
【００４５】
第３の態様によれば、本発明の実施形態は電力制御方法を提供し、ここで方法は、第１のキャリアにおけるサウンディング基準信号SRSのための電力制御パラメータを取得するステップであって、SRSのための電力制御パラメータは、SRSのためのターゲット電力パラメータ値、パスロス補償係数、およびSRSのための閉ループ電力制御パラメータ値のうちの少なくとも１つを含む、ステップと、ユーザ機器UEがSRSのための電力制御パラメータに基づいて第１のキャリアにおけるSRSのための伝送電力を決定するように、SRSのための電力制御パラメータをUEに送信するステップと、を含む。
【００４６】
可能な設計において、第１のキャリアは物理アップリンク共有チャネルPUSCHが送信されないキャリアである。
【００４７】
可能な設計において、SRSのための電力制御パラメータをユーザ機器UEに送信するステップは、電力制御シグナリングまたはクロスキャリア電力制御シグナリングを使用することによってSRSのための電力制御パラメータをUEに送信するステップを含む。
【００４８】
可能な設計において、電力制御シグナリングは、開ループ電力制御シグナリングおよび／または閉ループ電力制御シグナリングを含む。
【００４９】
可能な設計において、電力制御シグナリングまたはクロスキャリア電力制御シグナリングは、無線リソース制御RRCシグナリングまたは物理レイヤ・シグナリングを含む。
【００５０】
可能な設計において、SRSのためのターゲット電力パラメータ値は、プリアンブル初期受信ターゲット電力値に基づいて取得されたパラメータ値であるか、またはSRSのためのターゲット電力パラメータ値は、プリアンブル初期受信ターゲット電力値および電力調整値に基づいて取得されたパラメータ値である。
【００５１】
可能な設計において、電力制御シグナリングまたはクロスキャリア電力制御シグナリングを使用することによってSRSのための電力制御パラメータをUEに送信するステップは、第１の無線ネットワーク一時識別子RNTIに基づいてSRSのための電力制御パラメータをスクランブルして電力制御シグナリングまたはクロスキャリア電力制御シグナリングを生成するステップと、電力制御シグナリングまたはクロスキャリア電力制御シグナリングをUEに送信するステップと、を含む。
【００５２】
可能な設計において、SRSは、周期的に構成され、または非周期的に構成される。
【００５３】
可能な設計において、SRSのための電力制御パラメータがSRSのための閉ループ電力制御パラメータ値を含むならば、SRSのための閉ループ電力制御パラメータ値は、絶対値または相対的な調整値である。
【００５４】
可能な設計において、方法は、UEが伝送電力制御TPC情報からSRSのための閉ループ電力制御パラメータ値を解析して取り出すように、TPC情報をUEに送信するステップであって、TPC情報は、第１の無線ネットワーク一時識別子RNTIを用いてスクランブルされた情報である、ステップをさらに含む。
【００５５】
可能な設計において、SRSのための電力制御パラメータがSRSのための閉ループ電力制御パラメータを含むならば、方法は、UEがダウンリンク制御情報DCIに基づいてSRSのための閉ループ電力制御パラメータ値を取得するように、DCIをUEに送信するステップをさらに含む。
【００５６】
可能な設計において、DCIが第２のキャリアにおいて取得された制御情報であるならば、DCIは少なくとも第１のキャリア・インデックスを含み、DCIは、第１のキャリア・インデックスに対応するキャリアにおいてSRSのための閉ループ電力制御パラメータ値を取得するようにUEに命令するために使用される。
【００５７】
可能な設計において、第２のキャリアは、切り替え元のキャリアまたは切り替え先のキャリア以外のいずれかのキャリアであり、第１のキャリアは切り替え先のキャリアである。
【００５８】
可能な設計において、DCIが第１のキャリアにおいて取得された制御情報であるならば、DCIは、DCIからSRSのための閉ループ電力制御パラメータ値を取得するようにUEに命令するために使用される。
【００５９】
この実施形態において提供される電力制御方法の実装原理および有益な効果は、第１の態様のそれらと同様であり、詳細は再度ここで説明されない。
【００６０】
第４の態様によれば、本発明の実施形態は、
サウンディング基準信号SRSのための電力制御パラメータを取得するように構成された取得モジュールであって、SRSのための電力制御パラメータは、SRSのためのターゲット電力パラメータ値、パスロス補償係数、およびSRSのための閉ループ電力制御パラメータ値のうちの少なくとも１つを含む、取得モジュールと、
SRSのための電力制御パラメータに基づいて第１のキャリアにおけるSRSのための伝送電力を決定するように構成された決定モジュールと、
を含む、電力制御装置を提供する。
【００６１】
可能な設計において、第１のキャリアは物理アップリンク共有チャネルPUSCHが送信されないキャリアである。
【００６２】
可能な設計において、取得モジュールは、具体的には、基地局によって送信される電力制御シグナリングまたはクロスキャリア電力制御シグナリングを受信するように構成される。
【００６３】
可能な設計において、電力制御シグナリングは、開ループ電力制御シグナリングおよび／または閉ループ電力制御シグナリングを含む。
【００６４】
可能な設計において、取得モジュールは、具体的には、電力制御シグナリングまたはクロスキャリア電力制御シグナリングからSRSのための電力制御パラメータを取得するようにさらに構成される。
【００６５】
可能な設計において、電力制御シグナリングまたはクロスキャリア電力制御シグナリングは、無線リソース制御RRCシグナリングまたは物理レイヤ・シグナリングを含む。
【００６６】
可能な設計において、SRSのためのターゲット電力パラメータ値は、プリアンブル初期受信ターゲット電力値に基づいて取得されたパラメータ値であるか、または
SRSのためのターゲット電力パラメータ値は、プリアンブル初期受信ターゲット電力値および電力調整値に基づいて取得されたパラメータ値である。
【００６７】
可能な設計において、取得モジュールが、電力制御シグナリングまたはクロスキャリア電力制御シグナリングから電力制御パラメータを取得することは、
取得モジュールが、第１の無線ネットワーク一時識別子RNTIに基づいて電力制御シグナリングまたはクロスキャリア電力制御シグナリングからSRSのための電力制御パラメータを解析して取り出すことを含む。
【００６８】
可能な設計において、決定モジュールは、具体的には、ユーザ機器UEの最大伝送電力、SRSのための伝送電力調整値、SRSのための伝送帯域幅、SRSのためのターゲット電力パラメータ値、パスロス補償係数、および推定されたダウンリンク・パスロス値のうちの少なくとも１つに基づいてSRSのための伝送電力を取得するように構成される。
【００６９】
可能な設計において、決定モジュールは、具体的には、式PSRS,c1(i)=min{PCMAX,c1(i), PSRS_OFFSET,c1(m)+10log10(MSRS,c1)+PO_SRS,c1(j)+αSRS,c1(j)・PLSRS,c1}に従ってSRSのための伝送電力PSRS,c1(i)を計算するように構成され、ここでPCMAX,c1(i)はi番目のサブフレームにおけるユーザ機器UEの最大伝送電力であり、PSRS_OFFSET,c1(m)はSRSのための伝送電力調整値であり、ここでmは0または1に等しく、MSRS,c1はSRSのための伝送帯域幅であり、PO_SRS,c1(j)はSRSのためのターゲット電力パラメータ値であり、ここでjは0、1、または2に等しく、αSRS,c1(j)はパスロス補償係数であり、PLSRS,c1は推定されたダウンリンク・パスロス値である。
【００７０】
可能な設計において、決定モジュールは、SRSが周期的に構成されるか、または非周期的に構成されるかを決定するようにさらに構成される。
【００７１】
可能な設計において、SRSのための電力制御パラメータがSRSのための閉ループ電力制御パラメータ値を含むならば、SRSのための閉ループ電力制御パラメータ値は、絶対値または相対的な調整値である。
【００７２】
可能な設計において、取得モジュールは、伝送電力制御TPC情報を取得するようにさらに構成され、ここでTPC情報は、第１の無線ネットワーク一時識別子RNTIを用いてスクランブルされた情報である。
【００７３】
可能な設計において、取得モジュールがSRSのための電力制御パラメータを取得することは、
取得モジュールが、第１のRNTIに基づいてTPC情報からSRSのための閉ループ電力制御パラメータ値を解析して取り出すことを含む。
【００７４】
可能な設計において、SRSのための電力制御パラメータがSRSのための閉ループ電力制御パラメータ値を含むならば、
取得モジュールは、ダウンリンク制御情報DCIを取得するようにさらに構成される。
【００７５】
可能な設計において、取得モジュールが、SRSのための電力制御パラメータを取得することは、
取得モジュールが、DCIに基づいてSRSのための閉ループ電力制御パラメータ値を取得することを含む。
【００７６】
可能な設計において、DCIが第２のキャリアにおいて取得された制御情報であるならば、DCIは少なくとも第１のキャリア・インデックスを含む。
【００７７】
可能な設計において、第２のキャリアは、切り替え元のキャリアまたは切り替え先のキャリア以外のいずれかのキャリアであり、第１のキャリアは切り替え先のキャリアである。
【００７８】
可能な設計において、取得モジュールが、DCIに基づいてSRSのための閉ループ電力制御パラメータ値を取得することは、
取得モジュールが、第１のキャリア・インデックスに対応するキャリアにおいてSRSのための閉ループ電力制御パラメータ値を取得することを含む。
【００７９】
可能な設計において、DCIが第１のキャリアにおいて取得された制御情報であるならば、
取得モジュールが、DCIに基づいてSRSのための閉ループ電力制御パラメータ値を取得することは、
取得モジュールが、DCIからSRSのための閉ループ電力制御パラメータ値を取得することを含む。
【００８０】
可能な設計において、SRSのための閉ループ電力制御パラメータ値が相対的な調整値であるならば、
決定モジュールは、前のサブフレーム内のSRSのための閉ループ電力制御情報または相対的な調整値のうちの少なくとも１つに基づいてSRSのための閉ループ電力制御パラメータ値を決定するようにさらに構成される。
【００８１】
可能な設計において、決定モジュールが、前のサブフレーム内のSRSのための閉ループ電力制御情報または相対的な調整値のうちの少なくとも１つに基づいて、SRSのための閉ループ電力制御パラメータを決定することは、
決定モジュールが、式fSRS,c1(i)=fSRS,c1(i-1)+δSRS,c1(i-KSRS)に従ってSRSのための閉ループ電力制御パラメータ値fSRS,c1(i)を計算することを含み、ここでfSRS,c1(i-1)は前のサブフレーム内のSRSのための閉ループ電力制御情報であり、δSRS,c1(i-KSRS)は相対的な調整値であり、SRSが周期的に構成されるならば、KSRSはSRSのサブフレームの周期であり、またはSRSが非周期的に構成されるならば、i-KSRSは前のサブフレームのサブフレーム番号である。
【００８２】
可能な設計において、決定モジュールが、SRSのための電力制御パラメータに基づいてSRSのための伝送電力を決定することは、
決定モジュールが、ユーザ機器UEの最大伝送電力、SRSのための伝送電力調整値、SRSのための伝送帯域幅、SRSのためのターゲット電力パラメータ値、パスロス補償係数、推定されたダウンリンク・パスロス値、およびSRSのための閉ループ電力制御パラメータのうちの少なくとも１つに基づいて、SRSのための伝送電力を取得することを含む。
【００８３】
可能な設計において、決定モジュールが、SRSのための電力制御パラメータに基づいてSRSのための伝送電力を決定することは、
決定モジュールが、式PSRS,c1(i)=min{PCMAX,c1(i), PSRS_OFFSET,c1(m)+10log10(MSRS,c1)+PO_SRS,c1(j)+αSRS,c1(j)・PLSRS,c1+fSRS,c1(i)}に従ってSRSのための伝送電力PSRS,c1(i)を計算することを含み、ここでPCMAX,c1(i)はi番目のサブフレームにおけるユーザ機器UEの最大伝送電力であり、PSRS_OFFSET,c1(m)はSRSのための伝送電力調整値であり、ここでmは0または1に等しく、MSRS,c1はSRSのための伝送帯域幅であり、PO_SRS,c1(j)はSRSのためのターゲット電力パラメータ値であり、αSRS,c1(j)はパスロス補償係数であり、PLSRS,c1は推定されたダウンリンク・パスロス値であり、fSRS,c1(i)はSRSのための閉ループ電力制御パラメータ値である。
【００８４】
この実施形態において提供される電力制御装置の実装原理および有益な効果は、第１の態様のそれらと同様であり、詳細は再度ここで説明されない。
【００８５】
第５の態様によれば、本発明の実施形態は、
第１のサブフレームと第２のサブフレームのシンボル重複部分における伝送電力を取得するように構成された取得モジュールであって、第１のサブフレームは、第１のキャリアにおいてサウンディング基準信号SRSが伝送されるサブフレームであり、第２のサブフレームは、第２のキャリアにおいてSRSまたは物理チャネルが伝送されるサブフレームである、取得モジュールと、
伝送電力がユーザ機器UEの最大伝送電力より大きいならば、伝送されるべき信号のための伝送電力を制御するように構成された処理モジュールであって、伝送されるべき信号はSRSおよび／または物理チャネルを含む、処理モジュールと、
を含む、電力制御装置を提供する。
【００８６】
可能な設計において、処理モジュールは、SRSが周期的に構成されるか、または非周期的に構成されるかを決定するようにさらに構成される。
【００８７】
可能な設計において、処理モジュールが、伝送されるべき信号のための伝送電力を制御することは、
処理モジュールが、SRSの周期的な構成に基づいて伝送されるべき信号のための伝送電力を制御すること、または
処理モジュールが、SRSの非周期的な構成に基づいて伝送されるべき信号のための伝送電力を制御することを含む。
【００８８】
可能な設計において、SRSが周期的に構成されるならば、処理モジュールが、伝送されるべき信号のための伝送電力を制御することは、
処理モジュールが、SRSを欠落させるか、またはSRSのために電力スケーリングを実行することを含む。
【００８９】
可能な設計において、SRSが非周期的に構成され、物理チャネルが物理アップリンク共有チャネルPUSCHであり、PUSCHがアップリンク制御情報UCIを含まないならば、
処理モジュールが、伝送されるべき信号のための伝送電力を制御することは、
処理モジュールが、PUSCHを欠落させるか、またはPUSCHのために電力スケーリングを実行することを含む。
【００９０】
可能な設計において、SRSが非周期的に構成され、物理チャネルが物理アップリンク共有チャネルPUSCHであり、PUSCHがアップリンク制御情報UCIを含むならば、
処理モジュールが、伝送されるべき信号のための伝送電力を制御することは、
処理モジュールが、SRSを欠落させるか、またはSRSのために電力スケーリングを実行することを含む。
【００９１】
可能な設計において、SRSが非周期的に構成され、物理チャネルが物理アップリンク制御チャネルPUCCHであるならば、
処理モジュールが、伝送されるべき信号のための伝送電力を制御することは、
処理モジュールが、SRSを欠落させるか、またはSRSのために電力スケーリングを実行すること、または
処理モジュールが、PUCCHを欠落させるか、またはPUCCHのために電力スケーリングを実行することを含む。
【００９２】
可能な設計において、SRSが非周期的に構成され、物理チャネルが物理アップリンク制御チャネルPUCCHであり、PUCCHがハイブリッド自動再送要求HARQを含むならば、
処理モジュールが、伝送されるべき信号のための伝送電力を制御することは、
処理モジュールが、SRSを欠落させるか、またはSRSのために電力スケーリングを実行することを含む。
【００９３】
可能な設計において、SRSが非周期的に構成され、物理チャネルが物理アップリンク制御チャネルPUCCHであり、PUCCHがチャネル状態情報CSIのみを含むならば、
処理モジュールが、伝送されるべき信号のための伝送電力を制御することは、
処理モジュールが、SRSを欠落させるか、またはSRSのために電力スケーリングを実行すること、または
処理モジュールが、PUCCHを欠落させるか、またはPUCCHのために電力スケーリングを実行することを含む。
【００９４】
可能な設計において、SRSが非周期的に構成され、物理チャネルがパケット・ランダム・アクセス・チャネルPRACHであり、PRACHが同時に発生するならば、
処理モジュールが、伝送されるべき信号のための伝送電力を制御することは、
処理モジュールが、SRSを欠落させるか、またはSRSのために電力スケーリングを実行することを含む。
【００９５】
この実施形態において提供される電力制御装置の実装原理および有益な効果は、第１の態様のそれらと同様であり、詳細は再度ここで説明されない。
【００９６】
第６の態様によれは、本発明の実施形態は、
第１のキャリアにおけるサウンディング基準信号SRSのための電力制御パラメータを取得するように構成された取得モジュールであって、SRSのための電力制御パラメータは、SRSのためのターゲット電力パラメータ値、パスロス補償係数、およびSRSのための閉ループ電力制御パラメータ値のうちの少なくとも１つを含む、取得モジュールと、
ユーザ機器UEがSRSのための電力制御パラメータに基づいて第１のキャリアにおけるSRSのための伝送電力を決定するように、SRSのための電力制御パラメータをUEに送信するように構成された送信モジュールと、
を含む、電力制御装置を提供する。
【００９７】
可能な設計において、第１のキャリアは物理アップリンク共有チャネルPUSCHが送信されないキャリアである。
【００９８】
可能な設計において、送信モジュールは、具体的には、電力制御シグナリングまたはクロスキャリア電力制御シグナリングを使用することによってSRSのための電力制御パラメータをUEに送信するように構成される。
【００９９】
可能な設計において、電力制御シグナリングは、開ループ電力制御シグナリングおよび／または閉ループ電力制御シグナリングを含む。
【０１００】
可能な設計において、電力制御シグナリングまたはクロスキャリア電力制御シグナリングは、無線リソース制御RRCシグナリングまたは物理レイヤ・シグナリングを含む。
【０１０１】
可能な設計において、SRSのためのターゲット電力パラメータ値は、プリアンブル初期受信ターゲット電力値に基づいて取得されたパラメータ値であるか、または
SRSのためのターゲット電力パラメータ値は、プリアンブル初期受信ターゲット電力値および電力調整値に基づいて取得されたパラメータ値である。
【０１０２】
可能な設計において、送信モジュールが、電力制御シグナリングまたはクロスキャリア電力制御シグナリングを使用することによってSRSのための電力制御パラメータをUEに送信することは、
送信モジュールが、第１の無線ネットワーク一時識別子RNTIに基づいてSRSのための電力制御パラメータをスクランブルして電力制御シグナリングまたはクロスキャリア電力制御シグナリングを生成し、電力制御シグナリングまたはクロスキャリア電力制御シグナリングをUEに送信することを含む。
【０１０３】
可能な設計において、SRSは、周期的に構成され、または非周期的に構成される。
【０１０４】
可能な設計において、SRSのための電力制御パラメータがSRSのための閉ループ電力制御パラメータ値を含むならば、SRSのための閉ループ電力制御パラメータ値は、絶対値または相対的な調整値である。
【０１０５】
可能な設計において、送信モジュールは、UEが伝送電力制御TPC情報からSRSのための閉ループ電力制御パラメータ値を解析して取り出すように、TPC情報をUEに送信するようにさらに構成され、ここでTPC情報は、第１の無線ネットワーク一時識別子RNTIを用いてスクランブルされた情報である。
【０１０６】
可能な設計において、SRSのための電力制御パラメータがSRSのための閉ループ電力制御パラメータ値を含むならば、
送信モジュールは、UEがダウンリンク制御情報DCIに基づいてSRSのための閉ループ電力制御パラメータ値を取得するように、DCIをUEに送信するようにさらに構成される。
【０１０７】
可能な設計において、DCIが第２のキャリアにおいて取得された制御情報であるならば、DCIは少なくとも第１のキャリア・インデックスを含み、DCIは、第１のキャリア・インデックスに対応するキャリアにおいてSRSのための閉ループ電力制御パラメータ値を取得するようにUEに命令するために使用される。
【０１０８】
可能な設計において、第２のキャリアは、切り替え元のキャリアまたは切り替え先のキャリア以外のいずれかのキャリアであり、第１のキャリアは切り替え先のキャリアである。
【０１０９】
可能な設計において、DCIが第１のキャリアにおいて取得された制御情報であるならば、DCIは、DCIからSRSのための閉ループ電力制御パラメータ値を取得するようにUEに命令するために使用される。
【０１１０】
この実施形態において提供される電力制御装置の実装原理および有益な効果は、第１の態様のそれらと同様であり、詳細は再度ここで説明されない。
【０１１１】
本発明の実施形態における、または先行技術における技術的解決策をより明確に説明するために、下記は、実施形態または先行技術を説明するために要求される添付図面を簡単に説明する。明らかに、下記の説明における添付図面は、本発明のいくつかの実施形態を表わし、この技術分野の当業者は、創作的な努力なしでこれらの添付図面から他の図面を依然として導き出し得る。
【図面の簡単な説明】
【０１１２】
【図１】本発明の実施形態による電力制御方法の適用シナリオの概略図である。
【図２】本発明の実施形態１による電力制御方法のフローチャートである。
【図３】本発明の実施形態２による電力制御方法のフローチャートである。
【図４】本発明の実施形態３による電力制御方法のフローチャートである。
【図５】本発明の実施形態４による電力制御方法のフローチャートである。
【図６】本発明の実施形態５による電力制御装置の構造図である。
【図７】本発明の実施形態６による電力制御装置の構造図である。
【図８】本発明の実施形態７による電力制御装置の構造図である。
【図９】本発明の実施形態８によるUEの構造図である。
【図１０】本発明の実施形態９による基地局の構造図である。
【発明を実施するための形態】
【０１１３】
図１は、本発明の実施形態による電力制御方法の適用シナリオの概略図である。方法は、無線通信システム、例えば、LTE-Aシステムに適用される。図１に表わされたように、シナリオは、ネットワーク・デバイス1、ユーザ端末2、およびユーザ端末3を含む。この出願において提供される電力制御方法は、ネットワーク・デバイスとユーザ端末の間のデータ伝送のために主に使用される。シナリオは、他のネットワーク・デバイスおよび他のユーザ端末をさらに含んでもよいことが留意されるべきである。図１は、単に、説明のための例であり、限定を課さない。
【０１１４】
本発明のこの実施形態において使用されるユーザ端末は、ユーザのために音声および／またはデータの接続性を提供するデバイス、無線接続機能を有するハンドヘルド・デバイス、または無線モデムに接続された他の処理デバイスであってもよい。無線端末は、無線アクセス・ネットワーク(Radio Access Network, 略してRAN)を通して１つ以上のコア・ネットワークと通信してもよい。無線端末は、携帯電話(「セルラー」フォンとも呼ばれる)または携帯端末とともに提供されるコンピュータのような携帯端末であってもよく、例えば、無線アクセス・ネットワークを用いて音声および／またはデータを交換する、ポータブル携帯装置、ポケットサイズの携帯装置、ハンドヘルド携帯装置、コンピュータに組み込まれた携帯装置、または乗り物内の携帯装置であってもよい。
【０１１５】
本発明のこの実施形態において使用されるネットワーク・デバイスは、基地局、アクセス・ポイント、またはアクセス・ネットワークにおける無線インタフェースにおいて１つ以上のセクタを介して無線端末と通信するデバイスであってもよい。基地局は、受信された無線フレームをIPパケットに変換し、受信されたIPパケットを無線フレームに変換するように構成され、無線端末とアクセス・ネットワークの残りの部分との間でルータとしての役割を果たしてもよく、ここでアクセス・ネットワークの残りの部分は、インターネット・プロトコル(IP)ネットワークを含んでもよい。基地局は、無線インタフェースの属性管理を調整してもよい。例えば、基地局は、GSM(登録商標)またはCDMA内の基地局(Base Transceiver Station, 略してBTS)であってもよく、WCDMA(登録商標)内の基地局(NodeB)であってもよく、またはLTE内の発展型ノードB(NodeB、eNB、またはe-NodeB、evolutional Node B)であってもよい。これは、この出願において限定されない。
【０１１６】
図２は、本発明の実施形態１による電力制御方法のフローチャートであり、ここで方法はユーザ機器UEによって実行される。図２に表わされたように、方法は下記のステップを含む。
【０１１７】
ステップ101:サウンディング基準信号SRSのための電力制御パラメータを取得し、ここでSRSのための電力制御パラメータは、SRSのためのターゲット電力パラメータ値、パスロス補償係数、およびSRSのための閉ループ電力制御パラメータ値のうちの少なくとも１つを含む。
【０１１８】
この実施形態において、UEは、異なる方式でSRSのための電力制御パラメータを取得し得る。例えば、基地局は、SRS伝送のために切り替え元または切り替え先のキャリアを使用することによって、SRSのための予め構成された電力制御パラメータをUEに伝送する。その代わりに、基地局は、物理レイヤ・シグナリングまたは制御シグナリングを使用することによって、SRSのためのターゲット電力パラメータ値およびパスロス補償係数をUEに送信し、そして伝送電力制御(Transmission power control, TPC)情報を使用することによって、SRSのための閉ループ電力制御パラメータ値をUEに示す。その代わりに、SRSのための電力制御パラメータにおける様々な値が他の方式で取得されてもよい。
【０１１９】
ステップ102:SRSのための電力制御パラメータに基づいて第１のキャリアにおけるSRSのための伝送電力を決定する。
【０１２０】
この実施形態において、キャリアにおいてSRS伝送が実行されるために、第１のキャリアは、SRSを基にしたキャリア切り替え後の切り替え先のキャリアであり、非アップリンク・キャリアとも呼ばれる。UEは、SRSのための電力制御パラメータに基づいて第１のキャリアにおけるSRSのための伝送電力を計算してもよく、それによってSRSは適切な伝送電力で第１のキャリアにおいて送信される。
【０１２１】
この実施形態において提供される電力制御方法において、UEは、SRSのための電力制御パラメータを取得し、ここで電力制御パラメータは、SRSのためのターゲット電力パラメータ値、パスロス補償係数、およびSRSのための閉ループ電力制御パラメータ値のうちの少なくとも１つを含み、UEは、SRSのための電力制御パラメータに基づいて第１のキャリアにおけるSRSのための伝送電力を決定する。UEは、SRSのための新たに構成された電力制御パラメータに基づいて、切り替え先のキャリアにおけるSRSのための伝送電力を計算することができ、それによってSRSは切り替え先のキャリアにおいて最適な伝送電力で伝送され、SRSが正しく受信されることを保証する。
【０１２２】
任意選択で、図２に表わされた実施形態において、第１のキャリアは、物理アップリンク共有チャネル(Physical Uplink Shared Channel, 略してPUSCH)が送信されないキャリアである。すなわち、第１のキャリアは、SRS送信のために使用されるが、PUSCH送信のために使用されない。
【０１２３】
図３は、本発明の実施形態２による電力制御方法のフローチャートであり、図３に表わされた方法は、ステップ101の具体的な実装プロセスである。図３に表わされたように、方法は下記のステップを含む。
【０１２４】
ステップ201:基地局によって送信される電力制御シグナリングまたはクロスキャリア電力制御シグナリングを受信し、ここで電力制御シグナリングは、開ループ電力制御シグナリングおよび／または閉ループ電力制御シグナリングを含む。
【０１２５】
この実施形態において、基地局は、UEへの切り替え先のキャリアにおける電力制御シグナリングを使用することによって電力制御シグナリングをUEに配送してもよく、またはクロスキャリア電力制御シグナリングを使用することによって電力制御シグナリングをUEに示してもよい。クロスキャリア電力制御シグナリングは、SRSが配置される切り替え元のキャリア、または切り替え先のキャリア以外のいずれかのキャリアにおいて受信され、かつSRSを基にしたキャリア切り替え後の切り替え先のキャリアにおけるSRS伝送のための関連する電力構成に関する通知のために使用されるシグナリングを含む。言い換えると、クロスキャリア電力制御シグナリングは、切り替え元のキャリアまたは切り替え先のキャリア以外のいずれかのキャリアにおいて基地局によって送信されるシグナリングであり、シグナリングは、切り替え先のキャリアにおけるSRSのための電力制御パラメータを含む。開ループ電力制御シグナリングは、SRSのためのターゲット電力パラメータ値およびパスロス補償係数を含んでもよい。閉ループ電力制御シグナリングは、SRSのためのターゲット電力パラメータ値、パスロス補償係数、およびSRSのための閉ループ電力制御パラメータ値を含んでもよい。
【０１２６】
任意選択で、電力制御シグナリングまたはクロスキャリア電力制御シグナリングは、無線リソース制御(Radio Resource Control, RRC)シグナリングまたは物理レイヤ・シグナリングを含む。
【０１２７】
ステップ202:電力制御シグナリングまたはクロスキャリア電力制御シグナリングからSRSのための電力制御パラメータを取得する。
【０１２８】
この実施形態において、UEが基地局によって配送された電力制御シグナリングまたはクロスキャリア電力制御シグナリングを受信した後、UEは、電力制御シグナリングまたはクロスキャリア電力制御シグナリングを解析して、SRSのための電力制御パラメータを取得する。
【０１２９】
任意選択で、SRSのためのターゲット電力パラメータ値は、プリアンブル初期受信ターゲット電力値に基づいて取得されたパラメータ値であるか、またはSRSのためのターゲット電力パラメータ値は、プリアンブル初期受信ターゲット電力値および電力調整値に基づいて取得されたパラメータ値である。
【０１３０】
この実施形態において、基地局は、電力制御シグナリングまたはクロスキャリア電力制御シグナリングを使用することによって、プリアンブル初期受信ターゲット電力値をUEに送信してもよく、UEは、プリアンブル初期受信ターゲット電力値に基づいてSRSのためのターゲット電力パラメータ値を計算する。その代わりに、基地局は、プリアンブル初期受信ターゲット電力値と電力調整値を加算することによって、SRSのためのターゲット電力パラメータ値を計算し、そして電力制御シグナリングまたはクロスキャリア電力制御シグナリングを使用することによって、SRSのための計算されたターゲット電力パラメータ値をUEに送信してもよい。電力調整値は、その代わりに、特別に定義されたランダム・アクセス・チャネル(Random Access Channel, 略してRACH)の応答メッセージから取得されてもよい。電力調整値は、また、電力オフセットまたは電力オフセット(power offset)と呼ばれる。
【０１３１】
さらに、電力制御シグナリングまたはクロスキャリア制御シグナリングから電力制御パラメータを取得するステップは、第１の無線ネットワーク一時識別子(Radio Network Temporary Identity, 略してRNTI)に基づいて、電力制御シグナリングまたはクロスキャリア電力制御シグナリングからSRSのための電力制御パラメータを解析して取り出すステップを含む。
【０１３２】
この実施形態において、第１のRNTIは、先行技術のTPC-RNTIとは異なる。第１のRNTIは、この出願において再定義されたRNTIであり、第１のRNTIは、TPC-SRS-RNTIと名付けられてもよい。第１のRNTIは、SRSのための電力制御パラメータをスクランブルする(scramble)またはマスク(mask)するために使用され、スクランブルされたパラメータは、UEへの表示のために物理レイヤ・シグナリング内で搬送される。
【０１３３】
この実施形態において提供される電力制御方法において、UEは、基地局によって送信された電力制御シグナリングまたはクロスキャリア電力制御シグナリングを受信し、電力制御シグナリングまたはクロスキャリア電力制御シグナリングからSRSのための電力制御パラメータを取得する。基地局は、RRCシグナリング、MACシグナリング、または物理レイヤ・シグナリングを使用することによって、SRSのための電力制御パラメータをUEに示してもよく、新たに定義されたRNTIを使用することによって、SRSのための電力制御パラメータをさらにスクランブルしてもよい。基地局は、異なる方式でSRSのための電力制御パラメータをUEに示す。方法は、柔軟であり、動作の容易さを特徴とする。
【０１３４】
任意選択で、SRSのための電力制御パラメータに基づいてSRSのための伝送電力を決定するステップは、ユーザ機器UEの最大伝送電力、SRSのための伝送電力調整値、SRSのための伝送帯域幅、SRSのためのターゲット電力パラメータ値、パスロス補償係数、および推定されたダウンリンク・パスロス値のうちの少なくとも１つに基づいて、SRSのための伝送電力を取得するステップを含む。
【０１３５】
具体的には、開ループにおいて、SRSのための電力制御パラメータに基づいてSRSのための伝送電力を決定するステップは、式PSRS,c1(i)=min{PCMAX,c1(i), PSRS_OFFSET,c1(m)+10log10(MSRS,c1)+PO_SRS,c1(j)+αSRS,c1(j)・PLc1}に従ってSRSのための伝送電力PSRS,c1(i)を計算するステップであって、PCMAX,c1(i)はi番目のサブフレームにおけるユーザ機器UEの最大伝送電力であり、PSRS_OFFSET,c1(m)はSRSのための伝送電力調整値であり、ここでmは0または1に等しく、MSRS,c1はSRSのための伝送帯域幅であり、PO_SRS,c1(j)はSRSのためのターゲット電力パラメータ値であり、ここでjは0、1、または2に等しく、αSRS,c1(j)はパスロス補償係数でありPLc1は推定されたダウンリンク・パスロス値である、ステップを含む。αSRS,c1(j)は1に固定されてもよく、PO_SRS,c1(j)について、通常、jは2に等しい。jが0に等しいとき、PO_SRS,c1(j)は半恒久的なスケジューリング伝送電力であり、jが1に等しいとき、PO_SRS,c1(j)は動的なスケジューリング伝送電力であり、jが2に等しいとき、PO_SRS,c1(j)はランダム・アクセス・スケジューリング伝送電力である。
【０１３６】
さらに、SRSのための電力制御パラメータに基づいてSRSのための伝送電力を決定するステップの前に、方法は、SRSが周期的に構成されるか、または非周期的に構成されるかを決定するステップをさらに含む。
【０１３７】
この実施形態において、UEは、SRSが様々な状況において正しく受信されることができることを保証するために、SRSが周期的に構成されるか、または非周期的に構成されるかを決定し、そしてSRSの周期的な構成の特性およびSRSのための電力制御パラメータに基づいてSRSのための伝送電力を決定してもよい。
【０１３８】
任意選択で、閉ループ状況において、SRSのための電力制御パラメータがSRSのための閉ループ電力制御パラメータ値を含むならば、SRSのための閉ループ電力制御パラメータ値は、絶対値または相対的な調整値である。
【０１３９】
この実施形態において、SRSのための閉ループ電力制御パラメータ値が絶対値であるならば、絶対値は、SRSのための伝送電力を計算するために直接に使用されてもよく、SRSのための閉ループ電力制御パラメータ値が相対的な調整値であるならば、SRSのための閉ループ電力制御パラメータ値は、まず相対的な調整値に基づいて計算される必要があり、そして計算を通して取得されたSRSのための閉ループ電力制御パラメータ値は、SRSのための伝送電力を計算するために使用される。
【０１４０】
任意選択で、SRSのための閉ループ電力制御パラメータ値が相対的な調整値であるならば、方法は、前のサブフレーム内のSRSのための閉ループ電力制御情報または相対的な調整値のうちの少なくとも１つに基づいてSRSのための閉ループ電力制御パラメータ値を決定するステップをさらに含む。
【０１４１】
具体的には、前のサブフレーム内のSRSのための閉ループ電力制御情報または相対的な調整値のうちの少なくとも１つに基づいてSRSのための閉ループ電力制御パラメータ値を決定するステップは、式fc1(i)=fc1(i-1)+δSRS,c1(i-KSRS)に従ってSRSのための閉ループ電力制御パラメータ値fc1(i)を計算するステップであって、fc1(i-1)は、前のサブフレーム内のSRSのための閉ループ電力制御情報であり、δSRS,c1(i-KSRS)は相対的な調整値であり、SRSが周期的に構成されるならば、KSRSはSRSのサブフレームの周期であり、またはSRSが非周期的に構成されるならば、i-KSRSは前のサブフレームのサブフレーム番号である、ステップを含む。
【０１４２】
さらに、SRSのための電力制御パラメータに基づいてSRSのための伝送電力を決定するステップは、ユーザ機器UEの最大伝送電力、SRSのための伝送電力調整値、SRSのための伝送帯域幅、SRSのためのターゲット電力パラメータ値、パスロス補償係数、推定されたダウンリンク・パスロス値、およびSRSのための閉ループ電力制御パラメータのうちの少なくとも１つに基づいて、SRSのための伝送電力を取得するステップを含む。
【０１４３】
具体的には、SRSのための電力制御パラメータに基づいてSRSのための伝送電力を決定するステップは、式PSRS,c1(i)=min{PCMAX,c1(i), PSRS_OFFSET,c1(m)+10log10(MSRS,c1)+PO_SRS,c1(j)+αSRS,c1(j)・PLc1+fSRS,c1(i)}に従ってSRSのための伝送電力PSRS,c1(i)を計算するステップであって、PCMAX,c1(i)は、切り替え先のキャリアC1におけるi番目のサブフレーム内のユーザ機器UEの最大伝送電力であり、PSRS_OFFSET,c1(m)はSRSのための伝送電力調整値であり、ここでmは0または1に等しく、MSRS,c1はSRSのための伝送帯域幅であり、PO_SRS,c1(j)はSRSのためのターゲット電力パラメータ値であり、αSRS,c1(j)はパスロス補償係数でありPLc1は推定されたダウンリンク・パスロス値であり、fc1(i)はSRSのための閉ループ電力制御パラメータ値である、ステップを含む。αSRS,c1(j)は1に固定されてもよく、PO_SRS,c1(j)について、通常、jは2に等しい。jが0に等しいとき、PO_SRS,c1(j)は半恒久的なスケジューリング伝送電力であり、jが1に等しいとき、PO_SRS,c1(j)は動的なスケジューリング伝送電力であり、jが2に等しいとき、PO_SRS,c1(j)はランダム・アクセス・スケジューリング伝送電力である。
【０１４４】
さらに、SRSのための電力制御パラメータを取得するステップの前に、方法は、伝送電力制御TPC情報を取得するステップであって、TPC情報は、第１のRNTIを用いてスクランブルされ、またはマスクされた情報である、ステップをさらに含む。
【０１４５】
依然としてさらに、SRSのための電力制御パラメータを取得するステップは、第１のRNTIに基づいてTPC情報からSRSのための閉ループ電力制御パラメータ値を解析して取り出すステップを含む。
【０１４６】
この実施形態において、SRSのための閉ループ電力制御パラメータ値は、第１のRNTIを用いてスクランブルされたTPC情報内に含まれてもよく、第１のRNTIは、前もってUEに示される。UEは、第１のRNTIに基づいてTPC情報をデスクランブルしてSRSのための閉ループ電力制御パラメータ値を取得してもよい。
【０１４７】
依然としてさらに、SRSのための電力制御パラメータがSRSのための閉ループ電力制御パラメータ値を含むならば、SRSのための電力制御パラメータを取得するステップの前に、方法は、ダウンリンク制御情報(Downlink Control Information, 略してDCI)を取得するステップをさらに含む。
【０１４８】
依然としてさらに、SRSのための電力制御パラメータを取得するステップは、DCIに基づいてSRSのための閉ループ電力制御パラメータ値を取得するステップを含む。
【０１４９】
この実施形態において、DCIの異なるフォーマットは、具体的には、下記のように定義されてもよい。
【０１５０】
第１のDCIフォーマット:DCIが第２のキャリアにおいて取得された制御情報であるならば、DCIは少なくとも第１のキャリア・インデックスを含み、ここで第２のキャリアは、切り替え元のキャリアまたは切り替え先のキャリア以外のいずれかのキャリアであり、第１のキャリアは切り替え先のキャリアである。
【０１５１】
それに対応して、この実施形態において、DCIに基づいてSRSのための閉ループ電力制御パラメータ値を取得するステップは、第１のキャリア・インデックスに対応するキャリアにおいてSRSのための閉ループ電力制御パラメータ値を取得するステップを含む。
【０１５２】
この実施形態において、クロスキャリア通知の場合、切り替え元のキャリアにおいて取得されたDCIは、少なくとも切り替え先のキャリアのインデックスを含む必要があり、それによってUEは、第１のキャリア・インデックスに基づいて、キャリア・インデックスに対応するキャリアにおいてSRSのための閉ループ電力制御パラメータ値を取得する。
【０１５３】
第２のDCIフォーマット:DCIが第１のキャリアにおいて取得された制御情報であるならば、DCIに基づいてSRSのための閉ループ電力制御パラメータ値を取得するステップは、DCIからSRSのための閉ループ電力制御パラメータ値を取得するステップを含む。
【０１５４】
この実施形態において、DCIが切り替え先のキャリアにおいて取得された制御情報であるとき、新しいDCIフォーマット内のSRSのための閉ループ電力制御パラメータ値は、SRS伝送電力制御を実行するために直接に使用される。
【０１５５】
図４は、本発明の実施形態３による電力制御方法のフローチャートである。２つのサブフレームのシンボルが重複し、重複部分における伝送電力がUEの最大伝送電力を超えるならば、方法は、SRSを基にしたキャリア切り替えがトリガされるときにどのような電力制御が実行されるかに関する。図４に表わされたように、方法は下記のステップを含む。
【０１５６】
ステップ301:第１のサブフレームと第２のサブフレームのシンボル重複部分における伝送電力を取得し、ここで第１のサブフレームは、第１のキャリアにおいてサウンディング基準信号SRSが伝送されるサブフレームであり、第２のサブフレームは、第２のキャリアにおいてSRSまたは物理チャネルが伝送されるサブフレームである。
【０１５７】
この実施形態において、第１のキャリアにおいてサウンディング基準信号SRSが伝送されるサブフレームのシンボルが第２のキャリアにおいてSRSまたは物理チャネルが伝送されるサブフレームのシンボルと重複するならば、シンボル重複部分における伝送電力は、計算される必要がある。例えば、複数のタイミング・アドバンス・グループ(Timing Advance Group, 略してTAG)がUEのために構成されるとき、１つのTAG内の１つの仮定されたサービング・キャリア／セルにおけるUEのSRS伝送のためのサブフレームi内のシンボルが、他のサービング・キャリア／セルにおいてPUCCH伝送のために使用されるサブフレームiまたはサブフレームi+1内のシンボルと重複するとき、シンボル重複部分における伝送電力が計算される。
【０１５８】
ステップ302:伝送電力がUEの最大伝送電力より大きいならば、伝送されるべき信号のための伝送電力を制御し、ここで伝送されるべき信号はSRSおよび／または物理チャネルを含む。
【０１５９】
この実施形態において、伝送電力がUEの最大伝送電力より大きいならば、伝送されるべき信号のための伝送電力は制御される。例えば、伝送電力がUEの最大伝送電力より大きいならば、伝送されるべき信号の一部が適切に欠落させられるか、または伝送されるべき信号において電力スケーリングが実行される。
【０１６０】
この実施形態において提供される電力制御方法において、UEは、第１のキャリアにおいてサウンディング基準信号SRSが伝送される第１のサブフレームと第２のキャリアにおいてSRSまたは物理チャネルが伝送される第２のサブフレームのシンボル重複部分における伝送電力を取得し、伝送電力がUEの最大伝送電力より大きいならば、伝送されるべき信号のための伝送電力を制御し、それによって、伝送されるべき信号は適切な電力で伝送され、伝送されるべき信号の伝送効率を保証する。
【０１６１】
任意選択で、伝送されるべき信号のための伝送電力を制御するステップの前に、方法は、SRSが周期的に構成されるか、または非周期的に構成されるかを決定するステップをさらに含む。
【０１６２】
さらに、伝送されるべき信号のための伝送電力を制御するステップは、SRSの周期的な構成に基づいて伝送されるべき信号のための伝送電力を制御するステップ、またはSRSの非周期的な構成に基づいて伝送されるべき信号のための伝送電力を制御するステップを含む。
【０１６３】
この実施形態において、伝送されるべき信号の一部を欠落させること、または伝送されるべき信号の一部について電力スケーリングを実行することは、SRSの周期的な特性に基づいて選択されてもよい。
【０１６４】
任意選択で、SRSが周期的に構成されるならば、伝送されるべき信号のための伝送電力を制御するステップは、SRSを欠落させるか、またはSRSのために電力スケーリングを実行するステップを含む。
【０１６５】
任意選択で、SRSが非周期的に構成され、物理チャネルが物理アップリンク共有チャネルPUSCHであり、PUSCHがアップリンク制御情報UCIを含まないならば、伝送されるべき信号のための伝送電力を制御するステップは、PUSCHを欠落させるか、またはPUSCHのために電力スケーリングを実行するステップを含む。
【０１６６】
任意選択で、SRSが非周期的に構成され、物理チャネルが物理アップリンク共有チャネルPUSCHであり、PUSCHがアップリンク制御情報UCIを含むならば、伝送されるべき信号のための伝送電力を制御するステップは、SRSを欠落させるか、またはSRSのために電力スケーリングを実行するステップを含む。
【０１６７】
任意選択で、SRSが非周期的に構成され、物理チャネルが物理アップリンク制御チャネルPUCCHであるならば、伝送されるべき信号のための伝送電力を制御するステップは、SRSを欠落させるか、またはSRSのために電力スケーリングを実行するステップ、またはPUCCHを欠落させるか、またはPUCCHのために電力スケーリングを実行するステップを含む。
【０１６８】
任意選択で、SRSが非周期的に構成され、物理チャネルが物理アップリンク制御チャネルPUCCHであり、PUCCHがハイブリッド自動再送要求HARQを含むならば、伝送されるべき信号のための伝送電力を制御するステップは、SRSを欠落させるか、またはSRSのために電力スケーリングを実行するステップを含む。
【０１６９】
任意選択で、SRSが非周期的に構成され、物理チャネルがPUCCHであり、PUCCHがチャネル状態情報(Channel State Information, 略してCSI)のみを含むならば、伝送されるべき信号のための伝送電力を制御するステップは、SRSを欠落させるか、またはSRSのために電力スケーリングを実行するステップ、またはPUCCHを欠落させるか、またはPUCCHのために電力スケーリングを実行するステップを含む。
【０１７０】
この実施形態において、SRSが非周期的に構成され、物理チャネルがPUCCHであり、PUCCHがCSIのみを含み、PUCCHがハイブリッド自動再送要求(Hybrid Automatic Repeat reQuest, 略してHARQ)を含まないとき、伝送されるべき信号のための伝送電力を制御するステップは、SRSを欠落させるか、またはSRSのために電力スケーリングを実行するステップ、またはPUCCHを欠落させるか、またはPUCCHのために電力スケーリングを実行するステップを含む。
【０１７１】
任意選択で、SRSが非周期的に構成され、物理チャネルがパケット・ランダム・アクセス・チャネルPRACHであり、PRACHが同時に発生するならば、伝送されるべき信号のための伝送電力を制御するステップは、SRSを欠落させるか、またはSRSのために電力スケーリングを実行するステップを含む。
【０１７２】
下記は、異なるUEの構成に基づいて詳細に「SRSの周期的な特性に基づいて伝送されるべき信号のための伝送電力を制御する」方法を説明する。
【０１７３】
ケース1:
【０１７４】
複数のTAGがUEのために構成されるとき、１つのTAG内の１つの仮定されたサービング・キャリア／セルにおけるUEのSRS伝送のために使用されるサブフレームi内のシンボルが、他のサービング・キャリア／セルにおいてPUCCH/PUSCH伝送のために使用されるサブフレームiまたはサブフレームi+1内のシンボルと重複するとき、シンボル重複部分における伝送電力がUEの最大伝送電力を超えるならば、下記のケースが適用される。
【０１７５】
(1)SRSが周期的に構成されるとき、いずれかの重複シンボルにおける伝送電力がUEの最大伝送電力を超えるならば、UEは、SRS伝送を欠落させるか、またはSRS伝送のために電力スケーリングを実行する。
【０１７６】
(2)SRSが非周期的に構成されるとき、いずれかの重複シンボルにおける伝送電力がUEの最大伝送電力を超え、PUSCHのみが存在し、PUSCHがアップリンク制御情報(uplink control information, 略してUCI)を含まないならば、UEは、PUSCH伝送を欠落させるか、またはPUSCH伝送のために電力スケーリングを実行し、またはUEは、SRS伝送を欠落させるか、またはSRS伝送のために電力スケーリングを実行する。
【０１７７】
(3)SRSが非周期的に構成されるとき、いずれかの重複シンボルにおける伝送電力がUEの最大伝送電力を超え、PUSCHのみが存在し、PUSCHがUCIを含むならば、UEは、SRS伝送を欠落させるか、またはSRS伝送のために電力スケーリングを実行する。
【０１７８】
(4)SRSが非周期的に構成されるとき、いずれかの重複シンボルにおける伝送電力がUEの最大伝送電力を超え、PUCCHが存在するならば、UEは、SRS伝送を欠落させるか、またはSRS伝送のために電力スケーリングを実行し、またはUEは、PUSCH伝送を欠落させるか、またはPUSCH伝送のために電力スケーリングを実行する。
【０１７９】
(5)SRSが非周期的に構成されるとき、いずれかの重複シンボルにおける伝送電力がUEの最大伝送電力を超え、PUCCHが存在し、PUCCHがハイブリッド自動再送要求(Hybrid Automatic Repeat reQuest, 略してHARQ)を含むならば、UEは、SRS伝送を欠落させるか、またはSRS伝送のために電力スケーリングを実行する。
【０１８０】
(6)SRSが非周期的に構成されるとき、いずれかの重複シンボルにおける伝送電力がUEの最大伝送電力を超え、PUCCHが存在し、PUCCHがCSIのみを含むならば、UEは、SRS伝送またはPUCCHを欠落させるか、またはUEは、SRS伝送のために電力スケーリングを実行し、またはPUCCHのために電力スケーリングを実行する。
【０１８１】
ケース2:
【０１８２】
複数のTAGおよび２つより多くのサービング・キャリア／セルがUEのために構成されるとき、１つのサービング・キャリア／セルにおけるSRS伝送のために使用されるサブフレームi内のシンボルが、他のサービング・キャリア／セルにおいてSRS伝送のために使用されるサブフレームi内のシンボルと重複し、かつ／または他のサービング・キャリア／セルにおいてPUCCH/PUSCH伝送のために使用されるサブフレームiまたはサブフレームi+1内のシンボルと重複するとき、シンボル重複部分のための伝送電力がUEの最大伝送電力を超えるならば、下記のケースが適用される。
【０１８３】
(1)SRSが周期的に構成されるとき、いずれかの重複シンボルにおける伝送電力がUEの最大伝送電力を超えるならば、UEは、SRS伝送を欠落させるか、またはSRS伝送のために電力スケーリングを実行する。
【０１８４】
(2)SRSが非周期的に構成されるとき、いずれかの重複シンボルにおける伝送電力がUEの最大伝送電力を超え、PUSCHのみが存在し、PUSCHがアップリンク制御情報UCIを含まないならば、UEは、PUSCH伝送を欠落させるか、またはPUSCH伝送のために電力スケーリングを実行し、またはUEは、SRS伝送を欠落させるか、またはSRS伝送のために電力スケーリングを実行する。
【０１８５】
(3)SRSが非周期的に構成されるとき、いずれかの重複シンボルにおける伝送電力がUEの最大伝送電力を超え、PUSCHのみが存在し、PUSCHがアップリンク制御情報UCI(uplink control information)を含むならば、UEは、SRS伝送を欠落させるか、またはSRS伝送のために電力スケーリングを実行する。
【０１８６】
(4)SRSが非周期的に構成されるとき、いずれかの重複シンボルにおける伝送電力がUEの最大伝送電力を超え、PUCCHが存在するならば、UEは、SRS伝送を欠落させるか、またはSRS伝送のために電力スケーリングを実行し、またはUEは、PUSCH伝送を欠落させるか、またはPUSCH伝送のために電力スケーリングを実行する。
【０１８７】
(5)SRSが非周期的に構成されるとき、いずれかの重複シンボルにおける伝送電力がUEの最大伝送電力を超え、PUCCHが存在し、PUCCHがHARQを含むならば、UEは、SRS伝送を欠落させるか、またはSRS伝送のために電力スケーリングを実行する。
【０１８８】
(6)SRSが非周期的に構成されるとき、いずれかの重複シンボルにおける伝送電力がUEの最大伝送電力を超え、PUCCHが存在し、PUCCHがCSIのみを含むならば、UEは、SRS伝送またはPUCCHを欠落させるか、またはUEは、SRS伝送のために電力スケーリングを実行し、またはPUCCHのために電力スケーリングを実行する。
【０１８９】
ケース3:
【０１９０】
複数のTAGがUEのために構成され、UEがセカンダリ・サービング・キャリア／セルにおいて物理ランダム・アクセス・チャネル(Physical Random Access Channel, 略してPRACH)を伝送し、異なるサービング・キャリア／セルにおいてSRS伝送のために使用されるサブフレーム内のシンボル内でPRACHが同時に発生するとき、シンボル重複部分における伝送電力がUEの最大伝送電力を超えるならば、下記のケースが適用される。
【０１９１】
(1)SRSが周期的に構成されるとき、いずれかの重複シンボルにおける伝送電力がUEの最大伝送電力を超えるならば、UEは、SRS伝送を欠落させるか、またはSRS伝送のために電力スケーリングを実行する。
【０１９２】
(2)SRSが周期的に構成されるとき、いずれかの重複シンボルにおける伝送電力がUEの最大伝送電力を超え、PRACHが同時に発生するならば、UEは、SRS伝送を欠落させるか、またはSRS伝送のために電力スケーリングを実行する。
【０１９３】
図５は、本発明の実施形態４による電力制御方法のフローチャートである。方法は基地局によって実行される。図５に表わされたように、方法は下記のステップを含む。
【０１９４】
ステップ401:第１のキャリアにおけるサウンディング基準信号SRSのための電力制御パラメータを取得し、ここでSRSのための電力制御パラメータは、SRSのためのターゲット電力パラメータ値、パスロス補償係数、およびSRSのための閉ループ電力制御パラメータ値のうちの少なくとも１つを含む。
【０１９５】
この実施形態において、SRSのための電力制御パラメータは、切り替え先のキャリアにおけるSRSのための伝送電力を計算するために、特別に構成される。
【０１９６】
ステップ402: ユーザ機器UEがSRSのための電力制御パラメータに基づいて第１のキャリアにおけるSRSのための伝送電力を決定するように、SRSのための電力制御パラメータをUEに送信する。
【０１９７】
この実施形態において、基地局は、異なる方式でSRSのための電力制御パラメータを送信し得る。例えば、基地局は、SRS伝送のための切り替え先のキャリアを使用することによって、SRSのための予め構成された電力制御パラメータをUEに伝送する。その代わりに、基地局は、物理レイヤ・シグナリングまたは制御シグナリングを使用することによって、SRSのためのターゲット電力パラメータ値およびパスロス補償係数をUEに送信し、そして伝送電力制御(Transmission power control, TPC)情報を使用することによって、SRSのための閉ループ電力制御パラメータ値をUEに示す。その代わりに、基地局は、他の方式でSRSのための電力制御パラメータ内の様々な値をUEに送信する。UEは、SRSのための電力制御パラメータに基づいて第１のキャリアにおけるSRSのための伝送電力を計算してもよく、それによってSRSは適切な伝送電力で第１のキャリアにおいて送信される。
【０１９８】
この実施形態において提供される電力制御方法において、基地局は、第１のキャリアにおけるSRSのための電力制御パラメータを取得し、ここで電力制御パラメータは、SRSのためのターゲット電力パラメータ値、パスロス補償係数、およびSRSのための閉ループ電力制御パラメータ値のうちの少なくとも１つを含み、基地局は、SRSのための電力制御パラメータをユーザ機器UEに送信し、それによってUEは、SRSのための電力制御パラメータに基づいて、第１のキャリアにおけるSRSのための伝送電力を決定する。このようにして、UEは、SRSのための新たに構成された電力制御パラメータに基づいて、切り替え先のキャリアにおけるSRSのための伝送電力を計算することができ、それによってSRSは切り替え先のキャリアにおいて最適な伝送電力で伝送され、SRSが正しく受信されることを保証する。
【０１９９】
任意選択で、第１のキャリアは、PUSCHが送信されないキャリアである。
【０２００】
任意選択で、SRSのための電力制御パラメータをユーザ機器UEに送信するステップは、電力制御シグナリングまたはクロスキャリア電力制御シグナリングを使用することによってSRSのための電力制御パラメータをUEに送信するステップを含む。
【０２０１】
電力制御シグナリングは、開ループ電力制御シグナリングおよび／または閉ループ電力制御シグナリングを含む。
【０２０２】
電力制御シグナリングまたはクロスキャリア電力制御シグナリングは、無線リソース制御RRCシグナリングまたは物理レイヤ・シグナリングを含む。
【０２０３】
任意選択で、SRSのためのターゲット電力パラメータ値は、プリアンブル初期受信ターゲット電力値に基づいて取得されたパラメータ値であるか、またはSRSのためのターゲット電力パラメータ値は、プリアンブル初期受信ターゲット電力値および電力調整値に基づいて取得されたパラメータ値である。
【０２０４】
さらに、電力制御シグナリングまたはクロスキャリア電力制御シグナリングを使用することによってSRSのための電力制御パラメータをUEに送信するステップは、第１の無線ネットワーク一時識別子RNTIに基づいてSRSのための電力制御パラメータをスクランブルして電力制御シグナリングまたはクロスキャリア電力制御シグナリングを生成し、電力制御シグナリングまたはクロスキャリア電力制御シグナリングをUEに送信するステップを含む。
【０２０５】
任意選択で、SRSは、周期的に構成され、または非周期的に構成される。
【０２０６】
さらに、SRSのための電力制御パラメータがSRSのための閉ループ電力制御パラメータ値を含むならば、SRSのための閉ループ電力制御パラメータ値は、絶対値または相対的な調整値である。
【０２０７】
依然としてさらに、方法は、UEがTPC情報からSRSのための閉ループ電力制御パラメータ値を解析して取り出すように、TPC情報をUEに送信するステップであって、TPC情報は、第１の無線ネットワーク一時識別子RNTIを用いてスクランブルされた情報である、ステップをさらに含む。
【０２０８】
依然としてさらに、SRSのための電力制御パラメータがSRSのための閉ループ電力制御パラメータを含むならば、方法は、UEがダウンリンク制御情報DCIに基づいてSRSのための閉ループ電力制御パラメータ値を取得するように、DCIをUEに送信するステップをさらに含む。
【０２０９】
任意選択で、DCIが第２のキャリアにおいて取得された制御情報であるならば、DCIは少なくとも第１のキャリア・インデックスを含み、DCIは、第１のキャリア・インデックスに対応するキャリアにおいてSRSのための閉ループ電力制御パラメータ値を取得するようにUEに命令するために使用される。
【０２１０】
第２のキャリアは、切り替え元のキャリアまたは切り替え先のキャリア以外のいずれかのキャリアであり、第１のキャリアは切り替え先のキャリアである。
【０２１１】
任意選択で、DCIが第１のキャリアにおいて取得された制御情報であるならば、DCIは、DCIからSRSのための閉ループ電力制御パラメータ値を取得するようにUEに命令するために使用される。
【０２１２】
この実施形態において提供される電力制御方法は、基地局によって実現され、UE側の電力制御方法に対応している。方法の実装原理および具体的な技術的特徴に関する詳細な説明について、図２から図４における実施形態におけるUE側の電力制御方法を参照されたい。詳細は再度ここで説明されない。
【０２１３】
図６は、本発明の実施形態５による電力制御装置の構造図である。図６に表わされたように、装置は、取得モジュール11および決定モジュール12を含む。取得モジュール11は、サウンディング基準信号SRSのための電力制御パラメータを取得するように構成され、ここでSRSのための電力制御パラメータは、SRSのためのターゲット電力パラメータ値、パスロス補償係数、およびSRSのための閉ループ電力制御パラメータ値のうちの少なくとも１つを含む。決定モジュール12は、SRSのための電力制御パラメータに基づいて第１のキャリアにおけるSRSのための伝送電力を決定するように構成される。
【０２１４】
この実施形態における装置は、図２に表わされた方法の実施形態の技術的解決策を実行するように構成されてもよい。それらの実装原理および技術的効果は同様であり、これ以上の詳細はここで提供されない。
【０２１５】
任意選択で、第１のキャリアは物理アップリンク共有チャネルPUSCHが送信されないキャリアである。
【０２１６】
任意選択で、取得モジュール11は、具体的には、基地局によって送信される電力制御シグナリングまたはクロスキャリア電力制御シグナリングを取得するように構成される。
【０２１７】
任意選択で、電力制御シグナリングは、開ループ電力制御シグナリングおよび／または閉ループ電力制御シグナリングを含む。
【０２１８】
任意選択で、取得モジュール11は、具体的には、電力制御シグナリングまたはクロスキャリア電力制御シグナリングからSRSのための電力制御パラメータを取得するようにさらに構成される。
【０２１９】
任意選択で、電力制御シグナリングまたはクロスキャリア電力制御シグナリングは、無線リソース制御RRCシグナリングまたは物理レイヤ・シグナリングを含む。
【０２２０】
任意選択で、SRSのためのターゲット電力パラメータ値は、プリアンブル初期受信ターゲット電力値に基づいて取得されたパラメータ値であるか、またはSRSのためのターゲット電力パラメータ値は、プリアンブル初期受信ターゲット電力値および電力調整値に基づいて取得されたパラメータ値である。
【０２２１】
任意選択で、取得モジュール11が、電力制御シグナリングまたはクロスキャリア電力制御シグナリングから電力制御パラメータを取得することは、取得モジュール11が、第１の無線ネットワーク一時識別子RNTIに基づいて電力制御シグナリングまたはクロスキャリア電力制御シグナリングからSRSのための電力制御パラメータを解析して取り出すことを含む。
【０２２２】
任意選択で、決定モジュール12は、具体的には、ユーザ機器UEの最大伝送電力、SRSのための伝送電力調整値、SRSのための伝送帯域幅、SRSのためのターゲット電力パラメータ値、パスロス補償係数、および推定されたダウンリンク・パスロス値のうちの少なくとも１つに基づいてSRSのための伝送電力を取得するように構成される。
【０２２３】
任意選択で、決定モジュール12は、具体的には、式PSRS,c1(i)=min{PCMAX,c1(i), PSRS_OFFSET,c1(m)+10log10(MSRS,c1)+PO_SRS,c1(j)+αSRS,c1(j)・PLSRS,c1}に従ってSRSのための伝送電力PSRS,c1(i)を計算するように構成され、ここでPCMAX,c1(i)はi番目のサブフレームにおけるユーザ機器UEの最大伝送電力であり、PSRS_OFFSET,c1(m)はSRSのための伝送電力調整値であり、ここでmは0または1に等しく、MSRS,c1はSRSのための伝送帯域幅であり、PO_SRS,c1(j)はSRSのためのターゲット電力パラメータ値であり、ここでjは0、1、または2に等しく、αSRS,c1(j)はパスロス補償係数であり、PLSRS,c1は推定されたダウンリンク・パスロス値である。
【０２２４】
任意選択で、決定モジュール12は、SRSが周期的に構成されるか、または非周期的に構成されるかを決定するようにさらに構成される。
【０２２５】
任意選択で、SRSのための電力制御パラメータがSRSのための閉ループ電力制御パラメータ値を含むならば、SRSのための閉ループ電力制御パラメータ値は、絶対値または相対的な調整値である。
【０２２６】
任意選択で、取得モジュール11は、伝送電力制御TPC情報を取得するようにさらに構成され、ここでTPC情報は、第１の無線ネットワーク一時識別子RNTIを用いてスクランブルされた情報である。
【０２２７】
任意選択で、取得モジュール11が、SRSのための電力制御パラメータを取得することは、取得モジュール11が、第１のRNTIに基づいてTPC情報からSRSのための閉ループ電力制御パラメータ値を解析して取り出すことを含む。
【０２２８】
任意選択で、SRSのための電力制御パラメータがSRSのための閉ループ電力制御パラメータ値を含むならば、取得モジュール11は、ダウンリンク制御情報DCIを取得するようにさらに構成される。
【０２２９】
任意選択で、取得モジュール11が、SRSのための電力制御パラメータを取得することは、取得モジュール11が、DCIに基づいてSRSのための閉ループ電力制御パラメータ値を取得することを含む。
【０２３０】
任意選択で、DCIが第２のキャリアにおいて取得された制御情報であるならば、DCIは少なくとも第１のキャリア・インデックスを含む。
【０２３１】
任意選択で、第２のキャリアは、切り替え元のキャリアまたは切り替え先のキャリア以外のいずれかのキャリアであり、第１のキャリアは切り替え先のキャリアである。
【０２３２】
任意選択で、取得モジュール11が、DCIに基づいてSRSのための閉ループ電力制御パラメータ値を取得することは、取得モジュール11が、第１のキャリア・インデックスに対応するキャリアにおいてSRSのための閉ループ電力制御パラメータ値を取得することを含む。
【０２３３】
任意選択で、DCIが第１のキャリアにおいて取得された制御情報であるならば、取得モジュール11が、DCIに基づいてSRSのための閉ループ電力制御パラメータ値を取得することは、取得モジュール11が、DCIからSRSのための閉ループ電力制御パラメータ値を取得することを含む。
【０２３４】
任意選択で、SRSのための閉ループ電力制御パラメータ値が相対的な調整値であるならば、決定モジュール12は、前のサブフレーム内のSRSのための閉ループ電力制御情報または相対的な調整値のうちの少なくとも１つに基づいてSRSのための閉ループ電力制御パラメータ値を決定するようにさらに構成される。
【０２３５】
任意選択で、決定モジュール12が、前のサブフレーム内のSRSのための閉ループ電力制御情報または相対的な調整値のうちの少なくとも１つに基づいて、SRSのための閉ループ電力制御パラメータを決定することは、決定モジュール12が、式fSRS,c1(i)=fSRS,c1(i-1)+δSRS,c1(i-KSRS)に従ってSRSのための閉ループ電力制御パラメータ値fSRS,c1(i)を計算することを含み、ここでfSRS,c1(i-1)は前のサブフレーム内のSRSのための閉ループ電力制御情報であり、δSRS,c1(i-KSRS)は相対的な調整値であり、SRSが周期的に構成されるならば、KSRSはSRSのサブフレームの周期であり、またはSRSが非周期的に構成されるならば、i-KSRSは前のサブフレームのサブフレーム番号である。
【０２３６】
任意選択で、決定モジュール12が、SRSのための電力制御パラメータに基づいてSRSのための伝送電力を決定することは、決定モジュール12が、ユーザ機器UEの最大伝送電力、SRSのための伝送電力調整値、SRSのための伝送帯域幅、SRSのためのターゲット電力パラメータ値、パスロス補償係数、推定されたダウンリンク・パスロス値、およびSRSのための閉ループ電力制御パラメータのうちの少なくとも１つに基づいて、SRSのための伝送電力を取得することを含む。
【０２３７】
任意選択で、決定モジュール12が、SRSのための電力制御パラメータに基づいてSRSのための伝送電力を決定することは、決定モジュール12が、式PSRS,c1(i)=min{PCMAX,c1(i), PSRS_OFFSET,c1(m)+10log10(MSRS,c1)+PO_SRS,c1(j)+αSRS,c1(j)・PLSRS,c1+fSRS,c1(i)}に従ってSRSのための伝送電力PSRS,c1(i)を計算することを含み、ここでPCMAX,c1(i)はi番目のサブフレームにおけるユーザ機器UEの最大伝送電力であり、PSRS_OFFSET,c1(m)はSRSのための伝送電力調整値であり、ここでmは0または1に等しく、MSRS,c1はSRSのための伝送帯域幅であり、PO_SRS,c1(j)はSRSのためのターゲット電力パラメータ値であり、αSRS,c1(j)はパスロス補償係数であり、PLSRS,c1は推定されたダウンリンク・パスロス値であり、fSRS,c1(i)はSRSのための閉ループ電力制御パラメータ値である。
【０２３８】
この実施形態における装置は、図２または図３に表わされた方法の実施形態の技術的解決策を実行するように構成されてもよい。それらの実装原理および技術的効果は同様であり、これ以上の詳細はここで提供されない。
【０２３９】
図７は、本発明の実施形態６による電力制御装置の構造図である。図７に表わされたように、装置は、取得モジュール21および処理モジュール22を含む。取得モジュール21は、第１のサブフレームと第２のサブフレームのシンボル重複部分における伝送電力を取得するように構成され、ここで第１のサブフレームは、第１のキャリアにおいてサウンディング基準信号SRSが伝送されるサブフレームであり、第２のサブフレームは、第２のキャリアにおいてSRSまたは物理チャネルが伝送されるサブフレームである。処理モジュール22は、伝送電力がユーザ機器UEの最大伝送電力より大きいならば、伝送されるべき信号のための伝送電力を制御するように構成され、ここで伝送されるべき信号はSRSおよび／または物理チャネルを含む。
【０２４０】
任意選択で、処理モジュール22は、SRSが周期的に構成されるか、または非周期的に構成されるかを決定するようにさらに構成される。
【０２４１】
任意選択で、処理モジュール22が、伝送されるべき信号のための伝送電力を制御することは、処理モジュール22が、SRSの周期的な構成に基づいて伝送されるべき信号のための伝送電力を制御すること、または処理モジュール22が、SRSの非周期的な構成に基づいて伝送されるべき信号のための伝送電力を制御することを含む。
【０２４２】
任意選択で、SRSが周期的に構成されるならば、処理モジュール22が、伝送されるべき信号のための伝送電力を制御することは、処理モジュール22が、SRSを欠落させるか、またはSRSのために電力スケーリングを実行することを含む。
【０２４３】
任意選択で、SRSが非周期的に構成され、物理チャネルが物理アップリンク共有チャネルPUSCHであり、PUSCHがアップリンク制御情報UCIを含まないならば、処理モジュール22が、伝送されるべき信号のための伝送電力を制御することは、処理モジュール22が、PUSCHを欠落させるか、またはPUSCHのために電力スケーリングを実行することを含む。
【０２４４】
任意選択で、SRSが非周期的に構成され、物理チャネルが物理アップリンク共有チャネルPUSCHであり、PUSCHがアップリンク制御情報UCIを含むならば、処理モジュール22が、伝送されるべき信号のための伝送電力を制御することは、処理モジュール22が、SRSを欠落させるか、またはSRSのために電力スケーリングを実行することを含む。
【０２４５】
任意選択で、SRSが非周期的に構成され、物理チャネルが物理アップリンク制御チャネルPUCCHであるならば、処理モジュール22が、伝送されるべき信号のための伝送電力を制御することは、処理モジュール22が、SRSを欠落させるか、またはSRSのために電力スケーリングを実行すること、または処理モジュール22が、PUCCHを欠落させるか、またはPUCCHのために電力スケーリングを実行することを含む。
【０２４６】
任意選択で、SRSが非周期的に構成され、物理チャネルが物理アップリンク制御チャネルPUCCHであり、PUCCHがハイブリッド自動再送要求HARQを含むならば、処理モジュール22が、伝送されるべき信号のための伝送電力を制御することは、処理モジュール22が、SRSを欠落させるか、またはSRSのために電力スケーリングを実行することを含む。
【０２４７】
任意選択で、SRSが非周期的に構成され、物理チャネルが物理アップリンク制御チャネルPUCCHであり、PUCCHがチャネル状態情報CSIのみを含むならば、処理モジュール22が、伝送されるべき信号のための伝送電力を制御することは、処理モジュール22が、SRSを欠落させるか、またはSRSのために電力スケーリングを実行すること、または処理モジュール22が、PUCCHを欠落させるか、またはPUCCHのために電力スケーリングを実行することを含む。
【０２４８】
任意選択で、SRSが非周期的に構成され、物理チャネルがパケット・ランダム・アクセス・チャネルPRACHであり、PRACHが同時に発生するならば、処理モジュール22が、伝送されるべき信号のための伝送電力を制御することは、処理モジュール22が、SRSを欠落させるか、またはSRSのために電力スケーリングを実行することを含む。
【０２４９】
この実施形態における装置は、図４に表わされた方法の実施形態の技術的解決策を実行するように構成されてもよい。それらの実装原理および技術的効果は同様であり、これ以上の詳細はここで提供されない。
【０２５０】
図８は、本発明の実施形態７による電力制御装置の構造図である。図８に表わされたように、装置は、取得モジュール31および送信モジュール32を含む。取得モジュール31は、第１のキャリアにおけるサウンディング基準信号SRSのための電力制御パラメータを取得するように構成され、ここでSRSのための電力制御パラメータは、SRSのためのターゲット電力パラメータ値、パスロス補償係数、およびSRSのための閉ループ電力制御パラメータ値のうちの少なくとも１つを含む。送信モジュール32は、ユーザ機器UEがSRSのための電力制御パラメータに基づいて第１のキャリアにおけるSRSのための伝送電力を決定するように、SRSのための電力制御パラメータをUEに送信するように構成される。
【０２５１】
任意選択で、第１のキャリアは物理アップリンク共有チャネルPUSCHが送信されないキャリアである。
【０２５２】
任意選択で、送信モジュールは、具体的には、電力制御シグナリングまたはクロスキャリア電力制御シグナリングを使用することによってSRSのための電力制御パラメータをUEに送信するように構成される。
【０２５３】
任意選択で、電力制御シグナリングは、開ループ電力制御シグナリングおよび／または閉ループ電力制御シグナリングを含む。
【０２５４】
任意選択で、電力制御シグナリングまたはクロスキャリア電力制御シグナリングは、無線リソース制御RRCシグナリングまたは物理レイヤ・シグナリングを含む。
【０２５５】
任意選択で、SRSのためのターゲット電力パラメータ値は、プリアンブル初期受信ターゲット電力値に基づいて取得されたパラメータ値であるか、またはSRSのためのターゲット電力パラメータ値は、プリアンブル初期受信ターゲット電力値および電力調整値に基づいて取得されたパラメータ値である。
【０２５６】
任意選択で、送信モジュールが、電力制御シグナリングまたはクロスキャリア電力制御シグナリングを使用することによってSRSのための電力制御パラメータをUEに送信することは、送信モジュールが、第１の無線ネットワーク一時識別子RNTIに基づいてSRSのための電力制御パラメータをスクランブルして電力制御シグナリングまたはクロスキャリア電力制御シグナリングを生成し、電力制御シグナリングまたはクロスキャリア電力制御シグナリングをUEに送信することを含む。
【０２５７】
任意選択で、SRSは、周期的に構成され、または非周期的に構成される。
【０２５８】
任意選択で、SRSのための電力制御パラメータがSRSのための閉ループ電力制御パラメータ値を含むならば、SRSのための閉ループ電力制御パラメータ値は、絶対値または相対的な調整値である。
【０２５９】
任意選択で、送信モジュールは、UEが伝送電力制御TPC情報からSRSのための閉ループ電力制御パラメータ値を解析して取り出すように、TPC情報をUEに送信するようにさらに構成され、ここでTPC情報は、第１の無線ネットワーク一時識別子RNTIを用いてスクランブルされた情報である。
【０２６０】
任意選択で、SRSのための電力制御パラメータがSRSのための閉ループ電力制御パラメータを含むならば、送信モジュールは、UEがダウンリンク制御情報DCIに基づいてSRSのための閉ループ電力制御パラメータ値を取得するように、DCIをUEに送信するようにさらに構成される。
【０２６１】
任意選択で、DCIが第２のキャリアにおいて取得された制御情報であるならば、DCIは少なくとも第１のキャリア・インデックスを含み、DCIは、第１のキャリア・インデックスに対応するキャリアにおいてSRSのための閉ループ電力制御パラメータ値を取得するようにUEに命令するために使用される。
【０２６２】
任意選択で、第２のキャリアは、切り替え元のキャリアまたは切り替え先のキャリア以外のいずれかのキャリアであり、第１のキャリアは切り替え先のキャリアである。
【０２６３】
任意選択で、DCIが第１のキャリアにおいて取得された制御情報であるならば、DCIは、DCIからSRSのための閉ループ電力制御パラメータ値を取得するようにUEに命令するために使用される。
【０２６４】
この実施形態における装置は、図５に表わされた方法の実施形態の技術的解決策を実行するように構成されてもよい。それらの実装原理および技術的効果は同様であり、これ以上の詳細はここで提供されない。
【０２６５】
図９は、本発明の実施形態８によるUEの構造図である。UEは、プロセッサ401およびメモリ402を含んでもよい。装置は、伝送インタフェース403および受信インタフェース404をさらに含んでもよい。伝送インタフェース403および受信インタフェース404は、プロセッサ401に接続されてもよい。伝送インタフェース403はデータまたは情報を送信するために使用され、伝送インタフェース403は無線伝送装置であってもよい。受信インタフェース404はデータまたは情報を受信するために使用され、受信インタフェース404は無線受信装置であってもよい。メモリ402は実行可能な命令を記憶する。装置が動作するとき、プロセッサ401はメモリ402と通信し、プロセッサ401は、メモリ402内の実行可能な命令を呼び出して、下記の動作、すなわち、
サウンディング基準信号SRSのための電力制御パラメータを取得するステップであって、SRSのための電力制御パラメータは、SRSのためのターゲット電力パラメータ値、パスロス補償係数、およびSRSのための閉ループ電力制御パラメータ値のうちの少なくとも１つを含む、ステップと、
SRSのための電力制御パラメータに基づいて第１のキャリアにおけるSRSのための伝送電力を決定するステップと、
を実行する。
【０２６６】
任意選択で、第１のキャリアは物理アップリンク共有チャネルPUSCHが送信されないキャリアである。
【０２６７】
任意選択で、プロセッサ401が、サウンディング基準信号SRSのための電力制御パラメータを取得することは、プロセッサ401が、基地局によって送信される電力制御シグナリングまたはクロスキャリア電力制御シグナリングを受信することを含む。
【０２６８】
任意選択で、電力制御シグナリングは、開ループ電力制御シグナリングおよび／または閉ループ電力制御シグナリングを含む。
【０２６９】
任意選択で、プロセッサ401が、サウンディング基準信号SRSのための電力制御パラメータを取得することは、プロセッサ401が、電力制御シグナリングまたはクロスキャリア電力制御シグナリングからSRSのための電力制御パラメータを取得することを含む。
【０２７０】
任意選択で、電力制御シグナリングまたはクロスキャリア電力制御シグナリングは、無線リソース制御RRCシグナリングまたは物理レイヤ・シグナリングを含む。
【０２７１】
任意選択で、SRSのためのターゲット電力パラメータ値は、プリアンブル初期受信ターゲット電力値に基づいて取得されたパラメータ値であるか、またはSRSのためのターゲット電力パラメータ値は、プリアンブル初期受信ターゲット電力値および電力調整値に基づいて取得されたパラメータ値である。
【０２７２】
任意選択で、プロセッサ401が、電力制御シグナリングまたはクロスキャリア電力制御シグナリングから電力制御パラメータを取得することは、プロセッサ401が、第１の無線ネットワーク一時識別子RNTIに基づいて電力制御シグナリングまたはクロスキャリア電力制御シグナリングからSRSのための電力制御パラメータを解析して取り出すことを含む。
【０２７３】
任意選択で、プロセッサ401が、SRSのための電力制御パラメータに基づいてSRSのための伝送電力を決定することは、プロセッサ401が、ユーザ機器UEの最大伝送電力、SRSのための伝送電力調整値、SRSのための伝送帯域幅、SRSのためのターゲット電力パラメータ値、パスロス補償係数、および推定されたダウンリンク・パスロス値のうちの少なくとも１つに基づいてSRSのための伝送電力を取得することを含む。
【０２７４】
任意選択で、プロセッサ401が、SRSのための電力制御パラメータに基づいてSRSのための伝送電力を決定することは、プロセッサ401が、式
PSRS,c1(i)=min{PCMAX,c1(i), PSRS_OFFSET,c1(m)+10log10(MSRS,c1)+PO_SRS,c1(j)+αSRS,c1(j)・PLSRS,c1}に従ってSRSのための伝送電力PSRS,c1(i)を計算することを含み、ここでPCMAX,c1(i)はi番目のサブフレームにおけるユーザ機器UEの最大伝送電力であり、PSRS_OFFSET,c1(m)はSRSのための伝送電力調整値であり、ここでmは0または1に等しく、MSRS,c1はSRSのための伝送帯域幅であり、PO_SRS,c1(j)はSRSのためのターゲット電力パラメータ値であり、ここでjは0、1、または2に等しく、αSRS,c1(j)はパスロス補償係数であり、PLSRS,c1は推定されたダウンリンク・パスロス値である。
【０２７５】
任意選択で、プロセッサ401は、SRSが周期的に構成されるか、または非周期的に構成されるかを決定するようにさらに構成される。
【０２７６】
任意選択で、SRSのための電力制御パラメータがSRSのための閉ループ電力制御パラメータ値を含むならば、SRSのための閉ループ電力制御パラメータ値は、絶対値または相対的な調整値である。
【０２７７】
任意選択で、プロセッサ401は、伝送電力制御TPC情報を取得するようにさらに構成され、ここでTPC情報は、第１の無線ネットワーク一時識別子RNTIを用いてスクランブルされた情報である。
【０２７８】
任意選択で、プロセッサ401は、第１のRNTIに基づいてTPC情報からSRSのための閉ループ電力制御パラメータ値を解析して取り出すようにさらに構成される。
【０２７９】
任意選択で、SRSのための電力制御パラメータがSRSのための閉ループ電力制御パラメータ値を含むならば、プロセッサ401は、ダウンリンク制御情報DCIを取得するようにさらに構成される。
【０２８０】
任意選択で、プロセッサ401が、SRSのための電力制御パラメータを取得することは、プロセッサ401が、DCIに基づいてSRSのための閉ループ電力制御パラメータ値を取得することを含む。
【０２８１】
任意選択で、DCIが第２のキャリアにおいて取得された制御情報であるならば、DCIは少なくとも第１のキャリア・インデックスを含む。
【０２８２】
任意選択で、第２のキャリアは、切り替え元のキャリアまたは切り替え先のキャリア以外のいずれかのキャリアであり、第１のキャリアは切り替え先のキャリアである。
【０２８３】
任意選択で、プロセッサ401が、DCIに基づいてSRSのための閉ループ電力制御パラメータ値を取得することは、プロセッサ401が、第１のキャリア・インデックスに対応するキャリアにおいてSRSのための閉ループ電力制御パラメータ値を取得することを含む。
【０２８４】
任意選択で、DCIが第１のキャリアにおいて取得された制御情報であるならば、プロセッサ401が、DCIに基づいてSRSのための閉ループ電力制御パラメータ値を取得することは、プロセッサ401が、DCIからSRSのための閉ループ電力制御パラメータ値を取得することを含む。
【０２８５】
任意選択で、SRSのための閉ループ電力制御パラメータ値が相対的な調整値であるならば、プロセッサ401は、前のサブフレーム内のSRSのための閉ループ電力制御情報または相対的な調整値のうちの少なくとも１つに基づいてSRSのための閉ループ電力制御パラメータ値を決定するようにさらに構成される。
【０２８６】
任意選択で、プロセッサ401が、前のサブフレーム内のSRSのための閉ループ電力制御情報または相対的な調整値のうちの少なくとも１つに基づいて、SRSのための閉ループ電力制御パラメータを決定することは、プロセッサ401が、式fSRS,c1(i)=fSRS,c1(i-1)+δSRS,c1(i-KSRS)に従ってSRSのための閉ループ電力制御パラメータ値fSRS,c1(i)を計算することを含み、ここでfSRS,c1(i-1)は前のサブフレーム内のSRSのための閉ループ電力制御情報であり、δSRS,c1(i-KSRS)は相対的な調整値であり、SRSが周期的に構成されるならば、KSRSはSRSのサブフレームの周期であり、またはSRSが非周期的に構成されるならば、i-KSRSは前のサブフレームのサブフレーム番号である。
【０２８７】
任意選択で、プロセッサ401が、SRSのための電力制御パラメータに基づいてSRSのための伝送電力を決定することは、プロセッサ401は、ユーザ機器UEの最大伝送電力、SRSのための伝送電力調整値、SRSのための伝送帯域幅、SRSのためのターゲット電力パラメータ値、パスロス補償係数、推定されたダウンリンク・パスロス値、およびSRSのための閉ループ電力制御パラメータのうちの少なくとも１つに基づいて、SRSのための伝送電力を取得することを含む。
【０２８８】
任意選択で、プロセッサ401が、SRSのための電力制御パラメータに基づいてSRSのための伝送電力を決定することは、プロセッサ401が、式PSRS,c1(i)=min{PCMAX,c1(i), PSRS_OFFSET,c1(m)+10log10(MSRS,c1)+PO_SRS,c1(j)+αSRS,c1(j)・PLSRS,c1+fSRS,c1(i)}に従ってSRSのための伝送電力PSRS,c1(i)を計算することを含み、ここでPCMAX,c1(i)はi番目のサブフレームにおけるユーザ機器UEの最大伝送電力であり、PSRS_OFFSET,c1(m)はSRSのための伝送電力調整値であり、ここでmは0または1に等しく、MSRS,c1はSRSのための伝送帯域幅であり、PO_SRS,c1(j)はSRSのためのターゲット電力パラメータ値であり、αSRS,c1(j)はパスロス補償係数であり、PLSRS,c1は推定されたダウンリンク・パスロス値であり、fSRS,c1(i)はSRSのための閉ループ電力制御パラメータ値である。
【０２８９】
この実施形態におけるUEは、図２または図３に表わされた方法の実施形態の技術的解決策を実行するように構成されてもよい。それらの実装原理および技術的効果は同様であり、これ以上の詳細はここで提供されない。
【０２９０】
この出願の実施形態はUEをさらに提供し、ここでUEの構造は、図９に表わされたUEの構造と同じである。UEが動作するとき、プロセッサはメモリと通信し、プロセッサは、メモリ内の実行可能な命令を呼び出して、下記の動作、すなわち、
第１のサブフレームと第２のサブフレームのシンボル重複部分における伝送電力を取得するステップであって、第１のサブフレームは、第１のキャリアにおいてサウンディング基準信号SRSが伝送されるサブフレームであり、第２のサブフレームは、第２のキャリアにおいてSRSまたは物理チャネルが伝送されるサブフレームである、ステップと、
伝送電力がUEの最大伝送電力より大きいならば、伝送されるべき信号のための伝送電力を制御するステップであって、伝送されるべき信号はSRSおよび／または物理チャネルを含む、ステップと、
を実行する。
【０２９１】
任意選択で、プロセッサは、SRSが周期的に構成されるか、または非周期的に構成されるかを決定するようにさらに構成される。
【０２９２】
任意選択で、プロセッサが、伝送されるべき信号のための伝送電力を制御することは、プロセッサが、SRSの周期的な構成に基づいて伝送されるべき信号のための伝送電力を制御すること、またはプロセッサが、SRSの非周期的な構成に基づいて伝送されるべき信号のための伝送電力を制御することを含む。
【０２９３】
任意選択で、SRSが周期的に構成されるならば、プロセッサが、伝送されるべき信号のための伝送電力を制御することは、SRSを欠落させるか、またはSRSのために電力スケーリングを実行することを含む。
【０２９４】
任意選択で、SRSが非周期的に構成され、物理チャネルが物理アップリンク共有チャネルPUSCHであり、PUSCHがアップリンク制御情報UCIを含まないならば、プロセッサが、伝送されるべき信号のための伝送電力を制御することは、プロセッサが、PUSCHを欠落させるか、またはPUSCHのために電力スケーリングを実行することを含む。
【０２９５】
任意選択で、SRSが非周期的に構成され、物理チャネルが物理アップリンク共有チャネルPUSCHであり、PUSCHがアップリンク制御情報UCIを含むならば、プロセッサが、伝送されるべき信号のための伝送電力を制御することは、プロセッサが、SRSを欠落させるか、またはSRSのために電力スケーリングを実行することを含む。
【０２９６】
任意選択で、SRSが非周期的に構成され、物理チャネルが物理アップリンク制御チャネルPUCCHであるならば、プロセッサが、伝送されるべき信号のための伝送電力を制御することは、プロセッサが、SRSを欠落させるか、またはSRSのために電力スケーリングを実行すること、またはプロセッサが、PUCCHを欠落させるか、またはPUCCHのために電力スケーリングを実行することを含む。
【０２９７】
任意選択で、SRSが非周期的に構成され、物理チャネルが物理アップリンク制御チャネルPUCCHであり、PUCCHがハイブリッド自動再送要求HARQを含むならば、プロセッサが、伝送されるべき信号のための伝送電力を制御することは、プロセッサが、SRSを欠落させるか、またはSRSのために電力スケーリングを実行することを含む。
【０２９８】
任意選択で、SRSが非周期的に構成され、物理チャネルが物理アップリンク制御チャネルPUCCHであり、PUCCHがチャネル状態情報CSIのみを含むならば、プロセッサが、伝送されるべき信号のための伝送電力を制御することは、プロセッサが、SRSを欠落させるか、またはSRSのために電力スケーリングを実行すること、またはプロセッサが、PUCCHを欠落させるか、またはPUCCHのために電力スケーリングを実行することを含む。
【０２９９】
任意選択で、SRSが非周期的に構成され、物理チャネルがパケット・ランダム・アクセス・チャネルPRACHであり、PRACHが同時に発生するならば、プロセッサが、伝送されるべき信号のための伝送電力を制御することは、プロセッサが、SRSを欠落させるか、またはSRSのために電力スケーリングを実行することを含む。
【０３００】
この実施形態におけるUEは、図４に表わされた方法の実施形態の技術的解決策を実行するように構成されてもよい。それらの実装原理および技術的効果は同様であり、これ以上の詳細はここで提供されない。
【０３０１】
図１０は、本発明の実施形態９による基地局の構造図である。図１０に表わされたように、基地局は、プロセッサ501および送信機502を含む。プロセッサ501は、第１のキャリアにおけるサウンディング基準信号SRSのための電力制御パラメータを取得するように構成され、ここでSRSのための電力制御パラメータは、SRSのためのターゲット電力パラメータ値、パスロス補償係数、およびSRSのための閉ループ電力制御パラメータ値のうちの少なくとも１つを含む。送信機502は、ユーザ機器UEがSRSのための電力制御パラメータに基づいて第１のキャリアにおけるSRSのための伝送電力を決定するように、SRSのための電力制御パラメータをUEに送信するように構成される。
【０３０２】
任意選択で、第１のキャリアは物理アップリンク共有チャネルPUSCHが送信されないキャリアである。
【０３０３】
任意選択で、送信機502が、SRSのための電力制御パラメータをユーザ機器UEに送信することは、送信機502が、電力制御シグナリングまたはクロスキャリア電力制御シグナリングを使用することによってSRSのための電力制御パラメータをUEに送信することを含む。
【０３０４】
任意選択で、電力制御シグナリングは、開ループ電力制御シグナリングおよび／または閉ループ電力制御シグナリングを含む。
【０３０５】
任意選択で、電力制御シグナリングまたはクロスキャリア電力制御シグナリングは、無線リソース制御RRCシグナリングまたは物理レイヤ・シグナリングを含む。
【０３０６】
任意選択で、SRSのためのターゲット電力パラメータ値は、プリアンブル初期受信ターゲット電力値に基づいて取得されたパラメータ値であるか、またはSRSのためのターゲット電力パラメータ値は、プリアンブル初期受信ターゲット電力値および電力調整値に基づいて取得されたパラメータ値である。
【０３０７】
任意選択で、送信機502が、電力制御シグナリングまたはクロスキャリア電力制御シグナリングを使用することによってSRSのための電力制御パラメータをUEに送信することは、送信機502が、RNTIに基づいてSRSのための電力制御パラメータをスクランブルして電力制御シグナリングまたはクロスキャリア電力制御シグナリングを生成し、電力制御シグナリングまたはクロスキャリア電力制御シグナリングをUEに送信することを含む。
【０３０８】
任意選択で、SRSは、周期的に構成され、または非周期的に構成される。
【０３０９】
任意選択で、SRSのための電力制御パラメータがSRSのための閉ループ電力制御パラメータ値を含むならば、SRSのための閉ループ電力制御パラメータ値は、絶対値または相対的な調整値である。
【０３１０】
任意選択で、送信機502は、UEがTPC情報からSRSのための閉ループ電力制御パラメータ値を解析して取り出すように、伝送電力制御TPC情報をUEに送信するようにさらに構成され、ここでTPC情報は、第１の無線ネットワーク一時識別子RNTIを用いてスクランブルされた情報である。
【０３１１】
任意選択で、SRSのための電力制御パラメータがSRSのための閉ループ電力制御パラメータを含むならば、送信機502は、UEがダウンリンク制御情報DCIに基づいてSRSのための閉ループ電力制御パラメータ値を取得するように、DCIをUEに送信するようにさらに構成される。
【０３１２】
任意選択で、DCIが第２のキャリアにおいて取得された制御情報であるならば、DCIは少なくとも第１のキャリア・インデックスを含み、DCIは、第１のキャリア・インデックスに対応するキャリアにおいてSRSのための閉ループ電力制御パラメータ値を取得するようにUEに命令するために使用される。
【０３１３】
任意選択で、第２のキャリアは、切り替え元のキャリアまたは切り替え先のキャリア以外のいずれかのキャリアであり、第１のキャリアは切り替え先のキャリアである。
【０３１４】
任意選択で、DCIが第１のキャリアにおいて取得された制御情報であるならば、DCIは、DCIからSRSのための閉ループ電力制御パラメータ値を取得するようにUEに命令するために使用される。
【０３１５】
任意選択で、図１０に表わされたように、基地局は、メモリ503および受信機504をさらに含んでもよい。メモリ503は、命令およびデータを記憶するように構成され、受信機504は、データまたは情報を受信するように構成される。
【０３１６】
この実施形態における装置は、図５に表わされた方法の実施形態の技術的解決策を実行するように構成されてもよい。それらの実装原理および技術的効果は同様であり、これ以上の詳細はここで提供されない。
【０３１７】
方法の実施形態のステップの全てまたはいくつかは関連するハードウェアに命令するプログラムによって実現され得ることをこの技術分野の当業者は理解し得る。プログラムは、コンピュータ読み取り可能な記憶媒体内に記憶され得る。プログラムが動作するとき、方法の実施形態のステップが実行される。上記の記憶媒体は、リード・オンリ・メモリ(Read-Only Memory, 略してROM)、ランダム・アクセス・メモリ(random access memory, 略してRAM)、磁気ディスク、または光ディスクのような、プログラム・コードを記憶することができる任意の媒体を含む。
【０３１８】
最後に、上記の実施形態は、単に、本発明の技術的解決策を説明するために意図され、本発明を限定するために意図されないことが留意されるべきである。本発明が上記の実施形態を参照して詳細に説明されているが、この技術分野の当業者は、彼らが、依然として、本発明の実施形態の技術的解決策の範囲から逸脱せずに、上記の実施形態において説明された技術的解決策に修正を行い、またはそれらのいくつかまたは全ての技術的特徴に等価な置換を行い得ることを理解すべきである。
【符号の説明】
【０３１９】
1  ネットワーク・デバイス
2  ユーザ端末
3  ユーザ端末
11  取得モジュール
12  決定モジュール
21  取得モジュール
31  取得モジュール
32  送信モジュール
401  プロセッサ
402  メモリ
403  伝送インタフェース
404  受信インタフェース
501  プロセッサ
502  送信機
503  メモリ
504  受信機
【図１】
2019521575.tif 000003
【図２】
2019521575.tif 000004
【図３】
2019521575.tif 000005
【図４】
2019521575.tif 000006
【図５】
2019521575.tif 000007
【図６】
2019521575.tif 000008
【図７】
2019521575.tif 000009
【図８】
2019521575.tif 000010
【図９】
2019521575.tif 000011
【図１０】
2019521575.tif 000012
【手続補正書】
【提出日】平成30年12月28日(2018.12.28)
【手続補正１】
【補正対象書類名】特許請求の範囲
【補正対象項目名】全文
【補正方法】変更
【補正の内容】
【特許請求の範囲】
【請求項１】
電力制御方法であって、
サウンディング基準信号、SRS、のための電力制御パラメータを取得するステップであって、前記SRSのための前記電力制御パラメータは、前記SRSのためのターゲット電力パラメータ値、パスロス補償係数、および前記SRSのための閉ループ電力制御パラメータ値のうちの少なくとも１つを含む、ステップと、
前記SRSのための前記電力制御パラメータに基づいて第１のキャリアにおける前記SRSのための伝送電力を決定するステップと、
を含み、
前記第１のキャリアは物理アップリンク共有チャネル、PUSCH、が送信されないキャリアであり、
前記SRSのための前記電力制御パラメータが前記SRSのための前記閉ループ電力制御パラメータ値を含むならば、前記SRSのための前記電力制御パラメータを前記取得するステップの前に、前記方法は、
ダウンリンク制御情報、DCI、を取得するステップをさらに含み、
前記SRSのための前記電力制御パラメータを前記取得するステップは、
前記DCIに基づいて前記SRSのための前記閉ループ電力制御パラメータ値を取得するステップを含み、
前記DCIに基づいて前記SRSのための前記閉ループ電力制御パラメータ値を前記取得するステップは、
第１のキャリア・インデックスに対応するキャリアにおいて前記SRSのための前記閉ループ電力制御パラメータ値を取得するステップを含む、電力制御方法。
【請求項２】
前記第１のキャリアは、SRSを基にしたキャリア切り替え後の切り替え先のキャリアである、請求項１に記載の方法。
【請求項３】
前記SRSのための前記電力制御パラメータを前記取得するステップの前に、前記方法は、
伝送電力制御、TPC、情報を取得するステップであって、前記TPC情報は、第１の無線ネットワーク一時識別子、RNTI、を用いてスクランブルされた情報である、ステップをさらに含み、
前記SRSのための前記電力制御パラメータを前記取得するステップは、
前記第１のRNTIに基づいて前記TPC情報から前記SRSのための前記閉ループ電力制御パラメータ値を解析して取り出すステップを含む、請求項１または２に記載の方法。
【請求項４】
前記第１のRNTIは、前記SRSのための前記電力制御パラメータをスクランブルするか、またはマスクするために使用され、前記スクランブルされたパラメータは、前記UEへの表示のために物理レイヤ・シグナリング内で搬送される、請求項３に記載の方法。
【請求項５】
サウンディング基準信号SRSのための電力制御パラメータを前記取得するステップは、
基地局によって送信される電力制御シグナリングまたはクロスキャリア電力制御シグナリングを受信するステップを含む、請求項１に記載の方法。
【請求項６】
前記SRSのための前記電力制御パラメータに基づいて前記SRSのための伝送電力を前記決定するステップの前に、前記方法は、
前記SRSが周期的に構成されるか、または非周期的に構成されるかを決定するステップをさらに含む、請求項１に記載の方法。
【請求項７】
電力制御方法であって、前記方法は、
第１のキャリアにおけるサウンディング基準信号、SRS、のための電力制御パラメータを取得するステップであって、前記SRSのための前記電力制御パラメータは、前記SRSのためのターゲット電力パラメータ値、パスロス補償係数、および前記SRSのための閉ループ電力制御パラメータ値のうちの少なくとも１つを含む、ステップと、
ユーザ機器、UE、が前記SRSのための前記電力制御パラメータに基づいて前記第１のキャリアにおける前記SRSのための伝送電力を決定するように、前記SRSのための前記電力制御パラメータを前記UEに送信するステップと、
を含み、
前記第１のキャリアは物理アップリンク共有チャネル、PUSCH、が送信されないキャリアであり、
前記SRSのための前記電力制御パラメータが前記SRSのための前記閉ループ電力制御パラメータ値を含むならば、前記方法は、
前記UEがダウンリンク制御情報DCIに基づいて前記SRSのための前記閉ループ電力制御パラメータ値を取得するように、前記DCIを前記UEに送信するステップをさらに含み、
前記DCIは、前記第１のキャリア・インデックスに対応するキャリアにおいて前記SRSのための前記閉ループ電力制御パラメータ値を取得するように前記UEに命令するために使用される、電力制御方法。
【請求項８】
前記SRSのための前記電力制御パラメータをユーザ機器UEに前記送信するステップは、
第１の無線ネットワーク一時識別子、RNTI、に基づいて前記SRSのための前記電力制御パラメータをスクランブルして電力制御シグナリングまたはクロスキャリア電力制御シグナリングを生成するステップと、
前記電力制御シグナリングまたは前記クロスキャリア電力制御シグナリングを前記UEに送信するステップと、を含む、請求項７に記載の方法。
【請求項９】
前記SRSは、周期的に構成され、または非周期的に構成される、請求項７または８に記載の方法。
【請求項１０】
前記方法は、
前記UEが伝送電力制御、TPC、情報から前記SRSのための前記閉ループ電力制御パラメータ値を解析して取り出すように、前記TPC情報を前記UEに送信するステップであって、前記TPC情報は、前記第１のRNTIを用いてスクランブルされた情報である、ステップをさらに含む、請求項７から９のいずれか一項に記載の方法。
【請求項１１】
前記第１のRNTIは、前記SRSのための前記電力制御パラメータをスクランブルするか、またはマスクするために使用され、前記スクランブルされたパラメータは、前記UEへの表示のために物理レイヤ・シグナリング内で搬送される、請求項８から１０のいずれか一項に記載の方法。
【請求項１２】
電力制御装置であって、
サウンディング基準信号SRSのための電力制御パラメータを取得するように構成された取得モジュールであって、前記SRSのための前記電力制御パラメータは、前記SRSのためのターゲット電力パラメータ値、パスロス補償係数、および前記SRSのための閉ループ電力制御パラメータ値のうちの少なくとも１つを含む、取得モジュールと、
前記SRSのための前記電力制御パラメータに基づいて第１のキャリアにおける前記SRSのための伝送電力を決定するように構成された決定モジュールと、
を含み、
前記第１のキャリアはPUSCHが送信されないキャリアであり、
前記SRSのための前記電力制御パラメータが前記SRSのための前記閉ループ電力制御パラメータ値を含むならば、
前記取得モジュールは、ダウンリンク制御情報、DCI、を取得するようにさらに構成され、
前記取得モジュールが、前記SRSのための前記電力制御パラメータを取得することは、
前記取得モジュールが、前記DCIに基づいて前記SRSのための前記閉ループ電力制御パラメータ値を取得することを含み、
前記DCIが第２のキャリアにおいて取得された制御情報であるならば、前記DCIは少なくとも第１のキャリア・インデックスを含む、電力制御装置。
【請求項１３】
前記取得モジュールは、伝送電力制御、TPC、情報を取得するようにさらに構成され、ここで前記TPC情報は、第１の無線ネットワーク一時識別子RNTIを用いてスクランブルされた情報であり、
前記取得モジュールが、前記SRSのための前記電力制御パラメータを取得することは、
前記取得モジュールが、前記第１のRNTIに基づいて前記TPC情報から前記SRSのための前記閉ループ電力制御パラメータ値を解析して取り出すことを含む、請求項１２に記載の装置。
【請求項１４】
電力制御装置であって、
第１のキャリアにおけるサウンディング基準信号、SRS、のための電力制御パラメータを取得するように構成された取得モジュールであって、前記SRSのための前記電力制御パラメータは、前記SRSのためのターゲット電力パラメータ値、パスロス補償係数、および前記SRSのための閉ループ電力制御パラメータ値のうちの少なくとも１つを含む、取得モジュールと、
ユーザ機器、UE、が前記SRSのための前記電力制御パラメータに基づいて前記第１のキャリアにおける前記SRSのための伝送電力を決定するように、前記SRSのための前記電力制御パラメータを前記UEに送信するように構成された送信モジュールと、
を含み、
前記第１のキャリアは物理アップリンク共有チャネル、PUSCH、が送信されないキャリアであり、
前記SRSのための前記電力制御パラメータが前記SRSのための前記閉ループ電力制御パラメータ値を含むならば、
前記送信モジュールは、前記UEがダウンリンク制御情報、DCI、に基づいて前記SRSのための前記閉ループ電力制御パラメータ値を取得するように、前記DCIを前記UEに送信するようにさらに構成され、
前記DCIが第２のキャリアにおいて取得された制御情報であるならば、前記DCIは少なくとも第１のキャリア・インデックスを含み、前記DCIは、前記第１のキャリア・インデックスに対応するキャリアにおいて前記SRSのための前記閉ループ電力制御パラメータ値を取得するように前記UEに命令するために使用される、電力制御装置。
【請求項１５】
前記送信モジュールは、具体的には、
第１の無線ネットワーク一時識別子、RNTI、に基づいて前記SRSのための前記電力制御パラメータをスクランブルして電力制御シグナリングまたはクロスキャリア電力制御シグナリングを生成し、前記電力制御シグナリングまたは前記クロスキャリア電力制御シグナリングを前記UEに送信するように構成された、請求項１４に記載の装置。
【国際調査報告】
2019521575.tif 000013
2019521575.tif 000014
2019521575.tif 000015
2019521575.tif 000016
2019521575.tif 000017
2019521575.tif 000018